(57)【要約】  本発明は、無線通信システムに関し、より具体的には、搬送波上のＷＵＳリソースでＷＵＳシーケンスを受信する段階であって、ＷＵＳリソースは、複数の連続するＯＦＤＭシンボルと複数の連続する副搬送波とにより定義される段階と、ＷＵＳに対応する物理チャネルの検出を行う段階と、を有し、ＷＵＳリソースのＮ番目（Ｎ＞１）〜最後のＯＦＤＭシンボルには、搬送波の周波数帯域の位置に関係なく、ＷＵＳシーケンスが同一のパターンで存在し、ＷＵＳリソースの１番目〜（Ｎ−１）番目のＯＦＤＭシンボルには、搬送波の周波数帯域の位置に基づいて、ＷＵＳシーケンスが選択的に存在する、方法およびそのための装置に関する。【選択図】図１３
2021511745.tif 000002
【特許請求の範囲】
【請求項１】
無線通信システムにおいて通信装置が信号を受信する方法であって、
搬送波上のウェークアップ信号（Wake-Up Signal；ＷＵＳ）リソースでＷＵＳシーケンスを受信する段階であって、前記ＷＵＳリソースは、複数の連続する直交周波数分割多重（Orthogonal Frequency Division Multiplexing；ＯＦＤＭ）シンボルと複数の連続する副搬送波とにより定義される段階と、
前記ＷＵＳに対応する物理チャネルの検出を行う段階と、を有し、
前記ＷＵＳリソースのＮ番目（Ｎ＞１）〜最後のＯＦＤＭシンボルには、前記搬送波の周波数帯域の位置に関係なく、前記ＷＵＳシーケンスが同一のパターンで存在し、
前記ＷＵＳリソースの１番目〜（Ｎ−１）番目のＯＦＤＭシンボルには、前記搬送波の周波数帯域の位置に基づいて、前記ＷＵＳシーケンスが選択的に存在する、方法。
【請求項２】
前記ＷＵＳリソースは、１４個の連続するＯＦＤＭシンボルと１２個の連続する副搬送波とにより定義され、Ｎは４である、請求項１に記載の方法。
【請求項３】
前記ＷＵＳシーケンスは、長さ１３１のザァドフチュウ（Zardoff-Chu；ＺＣ）シーケンスを有する、請求項２に記載の方法。
【請求項４】
前記端末の狭帯域モノのインターネット（NarrowBand-Internet of Things；ＮＢ−ＩｏＴ）モードがインバンドモードである場合、前記搬送波の周波数帯域は、３ＧＰＰ  ＬＴＥシステム帯域内に位置し、
前記端末のＮＢ−ＩｏＴモードがガードバンドまたはスタンドアローンモードである場合、前記搬送波の周波数帯域は、前記３ＧＰＰ  ＬＴＥシステム帯域外に位置する、請求項１に記載の方法。
【請求項５】
前記端末のＮＢ−ＩｏＴモードがインバンドモードである場合、前記ＷＵＳリソースの１番目〜（Ｎ−１）番目のＯＦＤＭシンボルには、ＷＵＳシーケンスがなく、
前記端末のＮＢ−ＩｏＴモードがガードバンドまたはスタンドアローンモードである場合、前記ＷＵＳリソースの１番目〜（Ｎ−１）番目のＯＦＤＭシンボルには、前記ＷＵＳリソースのＮ番目（Ｎ＞１）〜最後のＯＦＤＭシンボルのうちの（Ｎ−１）個の連続するＯＦＤＭシンボルと同一のＷＵＳシーケンスが存在する、請求項４に記載の方法。
【請求項６】
Ｎは４であり、前記（Ｎ−１）個の連続するＯＦＤＭシンボルは、４番目〜６番目のＯＦＤＭシンボルを有する、請求項５に記載の方法。
【請求項７】
前記ＷＵＳに対応する物理チャネルは、ページング無線ネットワーク一時識別子（Paging Radio Network Temporary Identifier；Ｐ−ＲＮＴＩ）を有する物理下りリンク制御チャネル（Physical Downlink Control CHannel；ＰＤＣＣＨ）を有する、請求項１に記載の方法。
【請求項８】
無線通信システムに使用される通信装置であって、
メモリと、
プロセッサと、を有し、前記プロセッサは、
搬送波上のＷＵＳリソースでＷＵＳシーケンスを受信し、前記ＷＵＳリソースは、複数の連続するＯＦＤＭシンボルと複数の連続する副搬送波とにより定義され、
前記ＷＵＳに対応する物理チャネルの検出を行う、ように構成され、
前記ＷＵＳリソースのＮ番目（Ｎ＞１）〜最後のＯＦＤＭシンボルには、前記搬送波の周波数帯域の位置に関係なく、前記ＷＵＳシーケンスが同一のパターンで存在し、
前記ＷＵＳリソースの１番目〜（Ｎ−１）番目のＯＦＤＭシンボルには、前記搬送波の周波数帯域の位置に基づいて、前記ＷＵＳシーケンスが選択的に存在する、通信装置。
【請求項９】
前記ＷＵＳリソースは、１４個の連続するＯＦＤＭシンボルと１２個の連続する副搬送波とにより定義され、Ｎは４である、請求項８に記載の通信装置。
【請求項１０】
前記ＷＵＳシーケンスは、長さ１３１のザァドフチュウ（Zardoff-Chu；ＺＣ）シーケンスを有する、請求項９に記載の通信装置。
【請求項１１】
前記端末の狭帯域モノのインターネット（NarrowBand-Internet of Things；ＮＢ−ＩｏＴ）モードがインバンドモードである場合、前記搬送波の周波数帯域は、３ＧＰＰ  ＬＴＥシステム帯域内に位置し、
前記端末のＮＢ−ＩｏＴモードがガードバンドまたはスタンドアローンモードである場合、前記搬送波の周波数帯域は、前記３ＧＰＰ  ＬＴＥシステム帯域外に位置する、請求項８に記載の通信装置。
【請求項１２】
前記端末のＮＢ−ＩｏＴモードがインバンドモードである場合、前記ＷＵＳリソースの１番目〜（Ｎ−１）番目のＯＦＤＭシンボルには、ＷＵＳシーケンスがなく、
前記端末のＮＢ−ＩｏＴモードがガードバンドまたはスタンドアローンモードである場合、前記ＷＵＳリソースの１番目〜（Ｎ−１）番目のＯＦＤＭシンボルには、前記ＷＵＳリソースのＮ番目（Ｎ＞１）〜最後のＯＦＤＭシンボルのうちの（Ｎ−１）個の連続するＯＦＤＭシンボルと同一のＷＵＳシーケンスが存在する、請求項１１に記載の通信装置。
【請求項１３】
Ｎは４であり、前記（Ｎ−１）個の連続するＯＦＤＭシンボルは、４番目〜６番目のＯＦＤＭシンボルを有する、請求項１２に記載の通信装置。
【請求項１４】
前記ＷＵＳに対応する物理チャネルは、ページング無線ネットワーク一時識別子（Paging Radio Network Temporary Identifier；Ｐ−ＲＮＴＩ）を有する物理下りリンク制御チャネル（Physical Downlink Control CHannel；ＰＤＣＣＨ）を有する、請求項８に記載の通信装置。
【請求項１５】
さらに、無線周波数（Radio Frequency；ＲＦ）モジュールを有する、請求項８に記載の通信装置。
【発明の詳細な説明】
【技術分野】
【０００１】
本発明は、無線通信システムに関し、より具体的には、無線信号の送受信方法および装置に関する。
【背景技術】
【０００２】
無線通信システムが、音声やデータなどの種々の通信サービスを提供するために広範囲に展開されている。一般に、無線通信システムは、使用可能なシステムリソース（帯域幅、伝送（送信）電力（パワー）など）を共有してマルチユーザ（多重使用者）との通信をサポート（支援）することができる多元（多重）接続（multiple access）システムである。多元接続システムの例としては、ＣＤＭＡ（Code Division Multiple Access）システム、ＦＤＭＡ（Frequency Division Multiple Access）システム、ＴＤＭＡ（Time Division Multiple Access）システム、ＯＦＤＭＡ（Orthogonal Frequency Division Multiple Access）システム、ＳＣ−ＦＤＭＡ（Single Carrier Frequency Division Multiple Access）システムなどがある。
【発明の概要】
【発明が解決しようとする課題】
【０００３】
本発明の目的は、無線信号の送受信過程を効率的に行う方法およびそのための装置を提供することにある。
【０００４】
本発明で達成しようとする技術的課題は、上記技術的課題に制限されず、言及しなかった他の技術的課題は、下記の記載から、本発明が属する技術分野で通常の知識を有する者にとって明らかに理解可能であろう。
【課題を解決するための手段】
【０００５】
本発明の一態様では、無線通信システムにおいて通信装置が信号を受信する方法であって、搬送波上のウェークアップ信号（Wake-Up Signal；ＷＵＳ）リソースでＷＵＳシーケンスを受信する段階であって、ＷＵＳリソースは、複数の連続する直交周波数分割多重（Orthogonal Frequency Division Multiplexing；ＯＦＤＭ）シンボルと複数の連続する副搬送波とにより定義される段階と、ＷＵＳに対応する物理チャネルの検出を行う段階と、を有し、ＷＵＳリソースのＮ番目（Ｎ＞１）〜最後のＯＦＤＭシンボルには、搬送波の周波数帯域の位置に関係なく、ＷＵＳシーケンスが同一のパターンで存在し、ＷＵＳリソースの１番目〜（Ｎ−１）番目のＯＦＤＭシンボルには、搬送波の周波数帯域の位置に基づいて、ＷＵＳシーケンスが選択的に存在する方法が提供される。
【０００６】
本発明の他の態様では、無線通信システムに使用される通信装置であって、メモリと、プロセッサと、を有し、プロセッサは、搬送波上のＷＵＳリソースでＷＵＳシーケンスを受信し、ＷＵＳリソースは、複数の連続するＯＦＤＭシンボルと複数の連続する副搬送波とにより定義され、ＷＵＳに対応する物理チャネルの検出を行うように構成され、ＷＵＳリソースのＮ番目（Ｎ＞１）〜最後のＯＦＤＭシンボルには、搬送波の周波数帯域の位置に関係なく、ＷＵＳシーケンスが同一のパターンで存在し、ＷＵＳリソースの１番目〜（Ｎ−１）番目のＯＦＤＭシンボルには、搬送波の周波数帯域の位置に基づいて、ＷＵＳシーケンスが選択的に存在する通信装置が提供される。
【０００７】
好ましくは、ＷＵＳリソースは、１４個の連続するＯＦＤＭシンボルと１２個の連続する副搬送波とにより定義され、Ｎは４である。
【０００８】
好ましくは、ＷＵＳシーケンスは、長さ１３１のザァドフチュウ（Zardoff-Chu；ＺＣ）シーケンスを有する。
【０００９】
好ましくは、端末の狭帯域モノのインターネット（NarrowBand-Internet of Things；ＮＢ−ＩｏＴ）モードがインバンドモードである場合、搬送波の周波数帯域は、３ＧＰＰ  ＬＴＥシステム帯域内に位置し、端末のＮＢ−ＩｏＴモードがガードバンドまたはスタンドアローンモードである場合、搬送波の周波数帯域は、３ＧＰＰ  ＬＴＥシステム帯域外に位置する。
【００１０】
好ましくは、端末のＮＢ−ＩｏＴモードがインバンドモードである場合、ＷＵＳリソースの１番目〜（Ｎ−１）番目のＯＦＤＭシンボルには、ＷＵＳシーケンスがなく、端末のＮＢ−ＩｏＴモードがガードバンドまたはスタンドアローンモードである場合、ＷＵＳリソースの１番目〜（Ｎ−１）番目のＯＦＤＭシンボルには、ＷＵＳリソースのＮ番目（Ｎ＞１）〜最後のＯＦＤＭシンボルのうちの（Ｎ−１）個の連続するＯＦＤＭシンボルと同一のＷＵＳシーケンスが存在する。
【００１１】
好ましくは、Ｎは４であり、（Ｎ−１）個の連続するＯＦＤＭシンボルは、４番目〜６番目のＯＦＤＭシンボルを有する。
【００１２】
好ましくは、ＷＵＳに対応する物理チャネルは、ページング無線ネットワーク一時識別子（Paging Radio Network Temporary Identifier；Ｐ−ＲＮＴＩ）を有する物理下りリンク制御チャネル（Physical Downlink Control CHannel；ＰＤＣＣＨ）を有する。
【００１３】
好ましくは、通信装置は、さらに、無線周波数（Radio Frequency；ＲＦ）モジュールを有する。
【発明の効果】
【００１４】
本発明によれば、無線通信システムにおいて無線信号の送受信を効率的に行うことができる。
【００１５】
本発明から得られる効果は、以上で言及した効果に限定されず、言及していない他の効果は、以下の本発明の実施例に関する記載から、本発明の属する技術の分野における通常の知識を有する者にとって明確に導出され理解されるであろう。
【図面の簡単な説明】
【００１６】
【図１】無線通信システムの一例である３ＧＰＰ  ＬＴＥ（−Ａ）システムで用いられる物理チャネルおよびこれらを用いた一般的な信号伝送方法を例示する図である。
【図２】無線フレームの構造の一例を示す図である。
【図３】下りリンクスロットに対するリソースグリッド（resource grid）を例示する図である。
【図４】下りリンクサブフレームの構造の一例を示す図である。
【図５】ＬＴＥ（−Ａ）で使用される上りリンクサブフレームの構造を例示する図である。
【図６】セルフコンテインド（自己完結）（self-contained）サブフレームの構造を例示する図である。
【図７】３ＧＰＰ  ＮＲで定義されたフレーム構造を例示する図である。
【図８】ＬＴＥ帯域幅１０ＭＨｚにおけるインバンドアンカキャリアの配置を例示する図である。
【図９】ＦＤＤ  ＬＴＥシステムにおいてＮＢ−ＩｏＴ下りリンク物理チャネル／信号が送信される位置を例示する図である。
【図１０】インバンドモードにおけるＮＢ−ＩｏＴ信号とＬＴＥ信号とのリソース割り当てを例示する図である。
【図１１】マルチキャリアが構成される場合のスケジューリングを例示する図である。
【図１２】ＷＵＳ（Wake-Up Signal）の送信を例示する図である。
【図１３】本発明によるＷＵＳ送信を例示する図である。
【図１４】本発明によるＷＵＳ送信を例示する図である。
【図１５】本発明によるＷＵＳ送信を例示する図である。
【図１６】本発明によるＷＵＳ送信を例示する図である。
【図１７】繰り返し送信時の信号衝突を例示する図である。
【図１８】本発明に適用可能な基地局および端末を例示する図である。
【発明を実施するための形態】
【００１７】
本発明に関する理解を助けるために詳細な説明の一部として含まれる添付図面は、本発明の実施例を提供し、詳細な説明とともに本発明の技術的思想を説明する。
【００１８】
以下の技術は、ＣＤＭＡ（Code Division Multiple Access）、ＦＤＭＡ（Frequency Division Multiple Access）、ＴＤＭＡ（Time Division Multiple Access）、ＯＦＤＭＡ（Orthogonal Frequency Division Multiple Access）、ＳＣ−ＦＤＭＡ（Single Carrier Frequency Division Multiple Access）などの様々な無線アクセス（接続）システムに適用されることができる。ＣＤＭＡは、ＵＴＲＡ（Universal Terrestrial Radio Access）やＣＤＭＡ２０００などの無線技術（radio technology）によって具現されることができる。ＴＤＭＡは、ＧＳＭ（登録商標）（Global System for Mobile communications）／ＧＰＲＳ（General Packet Radio Service）／ＥＤＧＥ（Enhanced Data Rates for GSM Evolution）などの無線技術によって具現されることができる。ＯＦＤＭＡは、ＩＥＥＥ  ８０２．１１（Ｗｉ−Ｆｉ）、ＩＥＥＥ  ８０２．１６（ＷｉＭＡＸ）、ＩＥＥＥ  ８０２−２０、Ｅ−ＵＴＲＡ（Evolved UTRA）などの無線技術によって具現されることができる。ＵＴＲＡは、ＵＭＴＳ（Universal Mobile Telecommunications System）の一部である。３ＧＰＰ  ＬＴＥ（Long Term Evolution）は、Ｅ−ＵＴＲＡを用いるＥ−ＵＭＴＳ（Evolved UMTS）の一部であり、ＬＴＥ−Ａ（Advanced）は、３ＧＰＰ  ＬＴＥを改良したシステムである。説明を明確にするために３ＧＰＰ  ＬＴＥ／ＬＴＥ−Ａを中心に述べるが、本発明の技術思想は、これに限られない。
【００１９】
無線アクセスシステムにおいて、端末は、下りリンク（ＤＬ：DownLink）で基地局から情報を受信し、上りリンク（ＵＬ：UpLink）で基地局に情報を送信する。基地局および端末が送受信する情報は、データおよび種々の制御情報を含み、これらが送受信する情報の種類／用途によって様々な物理チャネルが存在する。
【００２０】
図１は、３ＧＰＰ  ＬＴＥ（−Ａ）システムに用いられる物理チャネルおよびこれらを用いた一般的な信号送信方法を説明する図である。
【００２１】
電源が消えた状態で電源がついたり、新しくセルに進入したりした端末は、段階Ｓ１０１で、基地局と同期を取るなどの初期セルサーチ（探索）（Initial cell search）作業を行う。そのために、端末は、基地局からプライマリ（主）同期チャネル（Ｐ−ＳＣＨ：Primary Synchronization CHannel）およびセカンダリ（副）同期チャネル（Ｓ−ＳＣＨ：Secondary Synchronization CHannel）を受信して基地局と同期を取り、セルＩＤなどの情報を取得する。その後、端末は、基地局から物理ブロードキャスト（放送）チャネル（ＰＢＣＨ：Physical Broadcast CHannel）信号を受信してセル内ブロードキャスト（放送）情報を取得する。一方、端末は、初期セルサーチ段階で下りリンク参照信号（ＤＬ  ＲＳ：DownLink Reference Signal）を受信して下りリンクチャネル状態を確認することができる。
【００２２】
初期セルサーチを終えた端末は、段階Ｓ１０２で、物理下りリンク制御チャネル（ＰＤＣＣＨ：Physical Downlink Control CHannel）、および物理下りリンク制御チャネル情報に対応する物理下りリンク共有チャネル（ＰＤＳＣＨ：Physical Downlink Control CHannel）を受信して、より具体的なシステム情報を得る。
【００２３】
その後、端末は、基地局への接続を完了するために、段階Ｓ１０３〜段階Ｓ１０６のようなランダムアクセス過程（Random Access Procedure）を行う。そのために、端末は、物理ランダムアクセスチャネル（ＰＲＡＣＨ：Physical Random Access CHannel）を介してプリアンブル（preamble）を送信し（Ｓ１０３）、物理下りリンク制御チャネルおよびそれに対応する物理下りリンク共有チャネルでプリアンブルに対する応答メッセージを受信する（Ｓ１０４）。コンテンション（競合）ベースのランダムアクセスの場合、更なる物理ランダムアクセスチャネルの送信（Ｓ１０５）、および物理下りリンク制御チャネルおよびそれに対応する物理下りリンク共有チャネルの受信（Ｓ１０６）などの衝突解決手順（Contention Resolution Procedure）を行う。
【００２４】
上述したような手順を行った端末は、その後、一般的な上りリンク／下りリンク信号送信手順として、物理下りリンク制御チャネル／物理下りリンク共有チャネルの受信（Ｓ１０７）、および物理上りリンク共有チャネル（ＰＵＳＣＨ：Physical Uplink Shared CHannel）／物理上りリンク制御チャネル（ＰＵＣＣＨ：Physical Uplink Control CHannel）の送信を行う（Ｓ１０８）。端末が基地局に送信する制御情報を総称して、上りリンク制御情報（ＵＣＩ：Uplink Control Information）という。ＵＣＩは、ＨＡＲＱ−ＡＣＫ／ＮＡＣＫ（Hybrid Automatic Repeat and reQuest ACKnowledgement/Negative-ACK）、ＳＲ（Scheduling Request）、ＣＳＩ（Channel State Information）などを含む。ＣＳＩは、ＣＱＩ（Channel Quality Indicator）、ＰＭＩ（Precoding Matrix Indicator）、ＲＩ（Rank Indication）などを含む。ＵＣＩは、一般的にＰＵＣＣＨを介して送信されるが、制御情報とトラフィックデータとが同時に送信されるべき場合には、ＰＵＳＣＨを介して送信されてもよい。また、ネットワークの要求／指示によってＰＵＳＣＨでＵＣＩを非周期的に送信することもできる。
【００２５】
図２は、無線フレームの構造を例示する。上りリンク／下りリンクデータパケットの送信は、サブフレーム単位で行われ、一つのサブフレームは、多数のシンボルを含む一定時間区間として定義される。３ＧＰＰ  ＬＴＥ標準では、ＦＤＤ（Frequency Division Duplex）に適用可能なタイプ１の無線フレーム構造およびＴＤＤ（Time Division Duplex）に適用可能なタイプ２の無線フレーム構造をサポートする。
【００２６】
図２（ａ）は、タイプ１の無線フレームの構造を示す図である。下りリンク無線フレームは、１０個のサブフレームで構成され、一つのサブフレームは、時間領域において２個のスロットで構成される。一つのサブフレームが送信されるのにかかる時間をＴＴＩ（Transmission Time Interval）という。例えば、一つのサブフレームの長さは１ｍｓであり、一つのスロットの長さは０．５ｍｓである。一つのスロットは、時間領域で複数のＯＦＤＭシンボルを含み、周波数領域で多数（複数）のリソースブロック（Resource Block；ＲＢ）を含む。３ＧＰＰ  ＬＴＥシステムでは、下りリンクでＯＦＤＭＡを使用するので、ＯＦＤＭシンボルが一つのシンボル区間を表す。また、ＯＦＤＭシンボルは、ＳＣ−ＦＤＭＡシンボルまたはシンボル区間と呼ぶことができる。リソースブロック（Resource Block；ＲＢ）は、リソース割当単位であり、一つのスロットにおいて複数の連続する副搬送波（subcarrier）を含む。
【００２７】
１（個の）スロットに含まれるＯＦＤＭシンボルの数は、ＣＰ（Cyclic Prefix）の構成（configuration）によって変わることができる。ＣＰには、拡張ＣＰ（extended CP）とノーマル（一般）ＣＰ（normal CP）とがある。例えば、ＯＦＤＭシンボルがノーマルＣＰにより構成された場合、一つのスロットに含まれるＯＦＤＭシンボルの数は７個である。ＯＦＤＭシンボルが拡張ＣＰにより構成された場合、１（つの）ＯＦＤＭシンボルの長さが伸びるので、一つのスロットに含まれるＯＦＤＭシンボルの数は、ノーマルＣＰの場合よりも少ない。拡張ＣＰの場合に、例えば、一つのスロットに含まれるＯＦＤＭシンボルの数は、６個である。端末が速い速度で移動するなど、チャネル状態が不安定な場合には、シンボル間の干渉をより減少させるために、拡張ＣＰを用いることができる。
【００２８】
ノーマルＣＰを用いる場合、一つのスロットは、７個のＯＦＤＭシンボルを含むので、一つのサブフレームは、１４個のＯＦＤＭシンボルを含む。このとき、各サブフレームの最初の３個のＯＦＤＭシンボルは、ＰＤＣＣＨ（Physical Downlink Control CHannel）に割り当てられ、残りのＯＦＤＭシンボルは、ＰＤＳＣＨ（Physical Downlink Shared CHannel）に割り当てられることができる。
【００２９】
図２（ｂ）は、タイプ２の無線フレームの構造を示す図である。タイプ２の無線フレームは、２つのハーフフレーム（half frame）で構成される。ハーフフレームは、４（５）個のノーマル（一般）サブフレームと１（０）個のスペシャルサブフレームとを含む。ノーマルサブフレームは、ＵＬ−ＤＬ構成（UpLink-DownLink Configuration）によって上りリンクまたは下りリンクで使用される。サブフレームは、２つのスロットで構成される。
【００３０】
表１は、ＵＬ−ＤＬ構成による無線フレーム内のサブフレーム構成を例示する。
【００３１】
［表１］
【表１】
2021511745.tif 000003
【００３２】
表において、Ｄは下りリンクサブフレームを、Ｕは上りリンクサブフレームを、Ｓはスペシャル（special）サブフレームを示す。スペシャルサブフレームは、ＤｗＰＴＳ（Downlink Pilot TimeSlot）、ＧＰ（Guard Period）、ＵｐＰＴＳ（Uplink Pilot TimeSlot）を含む。ＤｗＰＴＳは、端末における初期セルサーチ、同期またはチャネル推定に用いられる。ＵｐＰＴＳは、基地局におけるチャネル推定および端末との上り伝送同期に用いられる。ガード（保護）区間は、上りリンクと下りリンクとの間の下りリンク信号のマルチパス（多重経路）遅延による上りリンクにおける干渉を除去するための区間である。無線フレームの構造は、例に過ぎず、無線フレームにおけるサブフレームの数、スロットの数、シンボルの数は、様々に変更可能である。
【００３３】
図３は、下りリンクスロットのリソースグリッドを例示する。
【００３４】
図３を参照すると、下りリンクスロットは、時間領域（ドメイン）において複数のＯＦＤＭシンボルを含む。ここで、１つの下りリンクスロットは、７個のＯＦＤＭシンボルを含み、１つのリソースブロックは、周波数領域において１２個の副搬送波を含むとしているが、これに限定されるものではない。リソースグリッド上で各要素をリソース要素（Resource Element、ＲＥ）といい、１つのＲＢは、１２×７個のＲＥを含む。下りリンクスロットに含まれるＲＢの数ＮDLは、下りリンク送信帯域幅（bandwidth）に依存する。上りリンクスロットの構造は、下りリンクスロットの構造と同一でもよい。
【００３５】
図４は、下りリンクサブフレームの構造を例示する。
【００３６】
図４を参照すると、サブフレームの１番目のスロットにおいて前側に位置する最大３（４）個のＯＦＤＭシンボルは、制御チャネルが割り当てられる制御領域に対応する。その他のＯＦＤＭシンボルは、ＰＤＳＣＨ（Physical Downlink Shared CHannel）が割り当てられるデータ領域に該当し、データ領域の基本リソース単位はＲＢである。ＬＴＥにおいて使用される下りリンク制御チャネルの例は、ＰＣＦＩＣＨ（Physical Control Format Indicator CHannel）、ＰＤＣＣＨ（Physical Downlink Control CHannel）、ＰＨＩＣＨ（Physical Hybrid ARQ Indicator CHannel）などを含む。ＰＣＦＩＣＨは、サブフレームの１番目のシンボルで送信され、サブフレーム内で制御チャネルの伝送に使われるＯＦＤＭシンボルの数についての情報を運ぶ。ＰＨＩＣＨは、上りリンク伝送に対する応答であり、ＨＡＲＱ  ＡＣＫ／ＮＡＣＫ（Hybrid Automatic Repeat reQuest ACKnowledgement/Negative-ACKnowledgement）信号を運ぶ。ＰＤＣＣＨを介して伝送される制御情報は、ＤＣＩ（Downlink Control Information）と称される。ＤＣＩは、上りリンクまたは下りリンクのスケジュール情報または任意の端末グループのための上りリンク伝送電力制御命令（Transmit Power Control Command）を含む。
【００３７】
ＰＤＣＣＨを介して送信される制御情報をＤＣＩ（Downlink Control Information）という。ＤＣＩフォーマットとして、上りリンク用にフォーマット０、３、３Ａ、４、下りリンク用にフォーマット１、１Ａ、１Ｂ、１Ｃ、１Ｄ、２、２Ａ、２Ｂ、２Ｃなどのフォーマットが定義されている。ＤＣＩフォーマットによって、情報フィールドの種類、情報フィールドの数、各々の情報フィールドのビットの数などが変わる。例えば、ＤＣＩフォーマットは、用途によって（必要に応じて）、ホッピングフラグ（hopping flag）、ＲＢ割当て、ＭＣＳ（Modulation Coding Scheme）、ＲＶ（Redundancy Version）、ＮＤＩ（New Data Indicator）、ＴＰＣ（Transmit Power Control）、ＨＡＲＱプロセス番号、ＰＭＩ（Precoding Matrix Indicator）確認などの情報を選択的に含む。したがって、ＤＣＩフォーマットによって、ＤＣＩフォーマットに整合する制御情報のサイズが変わる。なお、任意のＤＣＩフォーマットは、２種類以上の制御情報伝送に使用される。例えば、ＤＣＩフォーマット０／１Ａは、ＤＣＩフォーマット０またはＤＣＩフォーマット１を運ぶために使用され、これらは、フラグフィールド（flag field）により区分（区別）される。
【００３８】
ＰＤＣＣＨは、ＤＬ−ＳＣＨ（DownLink Shared CHannel）の伝送フォーマットおよびリソース割り当て、ＵＬ−ＳＣＨ（UpLink Shared CHannel）に対するリソース割り当て情報、ＰＣＨ（Paging CHannel）に関するページング情報、ＤＬ−ＳＣＨ上のシステム情報（system information）、ＰＤＳＣＨ上で伝送されるランダムアクセス（接続）応答などの上位層制御メッセージのリソース割り当て情報、任意の端末グループ内における個別の端末に対する伝送電力制御命令、ＶｏＩＰ（Voice over IP）の活性化（activation）などを運ぶ。複数のＰＤＣＣＨが、制御領域内で送信されることができる。端末は、複数のＰＤＣＣＨをモニタリングすることができる。ＰＤＣＣＨは、一つまたは複数の連続した制御チャネル要素（Control Channel Element、ＣＣＥ）の集合（aggregation）上で送信される。ＣＣＥは、無線チャネル状態に基づいて所定の符号化率のＰＤＣＣＨを提供するために使われる論理的割当てユニットである。ＣＣＥは、複数のリソース要素グループ（Resource Element Group、ＲＥＧ）に対応する。ＰＤＣＣＨのフォーマットおよびＰＤＣＣＨビットの数は、ＣＣＥの数およびＣＣＥにより提供される符号化率の間の相関関係によって決定される。基地局は、端末に送信されるＤＣＩによってＰＤＣＣＨフォーマットを決定し、制御情報にＣＲＣ（Cyclic Redundancy Check）を付け加える。ＣＲＣは、ＰＤＣＣＨの所有者または使用目的によって識別子（例えば、ＲＮＴＩ（Radio Network Temporary Identifier））でマスクされる。例えば、ＰＤＣＣＨが特定の端末のためのものである場合、該当端末の識別子（例えば、Ｃｅｌｌ−ＲＮＴＩ（Ｃ−ＲＮＴＩ））がＣＲＣにマスクされることができる。ＰＤＣＣＨがページングメッセージのためのものである場合は、ページング識別子（例えば、Ｐａｇｉｎｇ−ＲＮＴＩ（Ｐ−ＲＮＴＩ））がＣＲＣにマスクされる。ＰＤＣＣＨがシステム情報（より具体的には、システム情報ブロック（System Information Block、ＳＩＢ））のためのものである場合、ＳＩ−ＲＮＴＩ（System Information RNTI）がＣＲＣにマスクされる。端末のランダムアクセスプリアンブルの送信に対する応答である、ランダムアクセス応答を指示するために、ＲＡ−ＲＮＴＩ（Random Access-RNTI）がＣＲＣにマスクされる。
【００３９】
ＰＤＣＣＨは、ＤＣＩ（Downlink Control Information）として知られたメッセージを運び、ＤＣＩは、１つの端末または端末グループのためのリソース割り当ておよび他の制御情報を含む。一般的に、複数のＰＤＣＣＨが１つのサブフレーム内で伝送される。各々のＰＤＣＣＨは、１つまたは複数のＣＣＥ（Control Channel Element）を用いて伝送され、各々のＣＣＥは、９セットの４つのリソース要素に対応する。４つのリソース要素は、ＲＥＧ（Resource Element Group）と称される。４つのＱＰＳＫシンボルが、１つのＲＥＧにマッピングされる。参照信号に割り当てられたリソース要素は、ＲＥＧに含まれず、これによって、与えられた（所与の）ＯＦＤＭシンボル内におけるＲＥＧの総数は、セル固有（特定）（cell-specific）の参照信号の存在の有無によって変わる。ＲＥＧの概念（すなわち、グループ単位マッピング、各々のグループは４つのリソース要素を含む）は、他の下りリンク制御チャネル（ＰＣＦＩＣＨおよびＰＨＩＣＨ）にも使用される。すなわち、ＲＥＧは、制御領域の基本リソース単位として使用される。４つのＰＤＣＣＨフォーマットが、表２のようにサポートされる。
【００４０】
［表２］
【表２】
2021511745.tif 000004
【００４１】
ＣＣＥは、連続して番号付けされて使用され、復号プロセスを単純化するために、ｎ（個の）ＣＣＥｓで構成されたフォーマットを有するＰＤＣＣＨは、ｎの倍数と同じ数を有するＣＣＥでのみ始まる。所定のＰＤＣＣＨの伝送のために使用されるＣＣＥの数は、チャネル条件に従って、基地局により決定される。例えば、ＰＤＣＣＨが良好な下りリンクチャネル（例えば、基地局に近い）を有する端末のためのものである場合、１つのＣＣＥでも十分である。しかしながら、悪いチャネル（例えば、セル境界に近い）を有する端末の場合は、十分なロバスト性（堅牢さ）（robustness）を得るために、８つのＣＣＥが使用される。また、ＰＤＣＣＨの電力（パーワ）レベルをチャネル条件に合わせて調節できる。
【００４２】
ＬＴＥに導入された方式は、各々の端末のためにＰＤＣＣＨが位置可能な制限されたセットにおけるＣＣＥ位置を定義することである。端末が自体のＰＤＣＣＨを探索できる制限されたセットにおけるＣＣＥの位置は、サーチスペース（検索空間）（Search Space、ＳＳ）と称される。ＬＴＥにおいて、サーチスペースは、各々のＰＤＣＣＨフォーマットによって異なるサイズを有する。また、ＵＥ固有（UE-specific）および共通（common）のサーチスペースが別に定義される。ＵＥ固有のサーチスペース（UE-specific Search Space、ＵＳＳ）は、各々の端末のために個々に設定され、共通サーチスペース（Common Search Space、ＣＳＳ）の範囲は、全端末に通知される。ＵＥ固有および共通サーチスペースは、与えられた端末に対して重なり合うことができる。非常に小さいサーチスペースを有するとき、所定の端末のためのサーチスペースにおいて一部のＣＣＥ位置が割り当てられた場合は残ったＣＣＥがないため、与えられたサブフレーム内で、基地局は、できる限り全ての（使用可能な）端末にＰＤＣＣＨを伝送するＣＣＥリソースを見つけることができない。このようにブロッキングが次のサブフレームに続く可能性を最小にするために、ＵＥ固有サーチスペースの開始位置に、端末固有ホッピングシーケンスが適用される。
【００４３】
表３は、共通およびＵＥ固有サーチスペースのサイズを表す。
【００４４】
［表３］
【表３】
2021511745.tif 000005
【００４５】
ブラインドデコード（Blind Decoding；ＢＤ）の総回数による計算負荷を統制下におくために、端末は、定義された全てのＤＣＩフォーマットを同時に検索することが要求されない。一般的に、ＵＥ固有サーチスペース内で、端末は、常にフォーマット０および１Ａを検索する。フォーマット０と１Ａとは、同じサイズを有し、メッセージ内のフラグによって区分される。また、端末は、追加フォーマット（例えば、基地局により設定されたＰＤＳＣＨ伝送モードによって１，１Ｂまたは２）を受信するように要求されることができる。共通サーチスペースにおいて、端末は、フォーマット１Ａおよび１Ｃをサーチする。また、端末は、フォーマット３または３Ａをサーチするように設定されることができる。フォーマット３および３Ａは、フォーマット０および１Ａと同じサイズを有し、端末固有識別子より、むしろ互いに異なる（共通）識別子でＣＲＣをスクランブルすることにより区分される。以下、伝送モードによるＰＤＳＣＨの伝送技法、およびＤＣＩフォーマットの情報コンテンツを記載する。
伝送モード（Transmission Mode、ＴＭ）
【００４６】
●  伝送モード１：単一基地局アンテナポートからの伝送
【００４７】
●  伝送モード２：伝送ダイバーシチ
【００４８】
●  伝送モード３：開ループ空間多重
【００４９】
●  伝送モード４：閉ループ空間多重
【００５０】
●  伝送モード５：マルチ（多重）ユーザＭＩＭＯ
【００５１】
●  伝送モード６：閉ループ・ランク−１プリコーディング
【００５２】
●  伝送モード７：単一アンテナポート（ポート５）の伝送
【００５３】
●  伝送モード８：二重レイヤ伝送（ポート７および８）または単一アンテナポート（ポート７または８）の伝送
【００５４】
●  伝送モード９：最大８つのレイヤ伝送（ポート７ないし１４）または単一アンテナポート（ポート７または８）の伝送
【００５５】
ＤＣＩフォーマット
【００５６】
●  フォーマット０：ＰＵＳＣＨ伝送（上りリンク）のためのリソースグラント
【００５７】
●  フォーマット１：単一コードワード  ＰＤＳＣＨの伝送（伝送モード１，２および７）のためのリソース割り当て
【００５８】
●  フォーマット１Ａ：単一コードワード  ＰＤＳＣＨ（全てのモード）のためのリソース割り当てのコンパクトシグナリング
【００５９】
●  フォーマット１Ｂ：ランク−１  閉ループ  プリコーディングを用いるＰＤＳＣＨ（モード６）のためのコンパクトリソースの割り当て
【００６０】
●  フォーマット１Ｃ：ＰＤＳＣＨ（例えば、ページング／ブロードキャストシステム情報）のための非常にコンパクトなリソースの割り当て
【００６１】
●  フォーマット１Ｄ：マルチユーザＭＩＭＯを用いるＰＤＳＣＨ（モード５）のためのコンパクトなリソースの割り当て
【００６２】
●  フォーマット２：閉ループ  ＭＩＭＯ動作のＰＤＳＣＨ（モード４）のためのリソースの割り当て
【００６３】
●  フォーマット２Ａ：開ループ  ＭＩＭＯ動作のＰＤＳＣＨ（モード３）のためのリソースの割り当て
【００６４】
●  フォーマット３／３Ａ：ＰＵＣＣＨおよびＰＵＳＣＨのために２ビット／１ビットの電力（パワー）調整値を有する電力制御（パワーコントロール）コマンド
【００６５】
図５は、ＬＴＥ（−Ａ）で使用される上りリンクサブフレームの構造を例示する図である。
【００６６】
図５を参照すると、サブフレーム５００は、２つの０．５ｍｓスロット５０１で構成される。ノーマル（普通）（Normal）サイクリックプリフィックス（循環前置）（Cyclic Prefix、ＣＰ）の長さを仮定したとき、各々のスロットは、７つのシンボル５０２で構成され、１つのシンボルは、１つのＳＣ−ＦＤＭＡシンボルに対応する。リソースブロック（Resource Block、ＲＢ）５０３は、周波数領域における１２個の副搬送波、また時間領域における１つのスロット、に該当するリソース割り当て単位である。ＬＴＥ（−Ａ）の上りリンクサブフレームの構造は、大きくデータ領域５０４と制御領域５０５とに区分される。データ領域は、各々の端末に伝送される音声、パケットなどのデータ送信に使用される通信リソースを意味し、ＰＵＳＣＨ（Physical Uplink Shared CHannel）を含む。制御領域は、上りリンク制御信号、例えば、各々の端末からの下りリンクチャネル品質報告、下りリンク信号に対する受信ＡＣＫ／ＮＡＣＫ、上りリンクスケジューリング要求などの伝送に使用される通信リソースを意味し、ＰＵＣＣＨ（Physical Uplink Control CHannel）を含む。サウンディング参照信号（Sounding Reference Signal、ＳＲＳ）は、１つのサブフレームにおいて時間軸上で最後に位置するＳＣ−ＦＤＭＡシンボルを介して伝送される。同じサブフレームの最後のＳＣ−ＦＤＭＡで伝送される複数の端末のＳＲＳは、周波数位置／シーケンスによって区分されることができる。ＳＲＳは、上りリンクのチャネル状態を基地局に伝送するために使用され、上位層（例えば、ＲＲＣ層）により設定されたサブフレームの周期／オフセットによって周期的に伝送されるか、あるいは基地局の要求によって非周期的に伝送される。
【００６７】
一方、次世代ＲＡＴ（Radio Access Technology）では、データ伝送遅延（latency）を最小にするために、セルフコンテインド（self-contained）サブフレームが考えられている。図６は、セルフコンテインドサブフレームの構造を例示している。図６において、斜線領域はＤＬ制御領域を示し、黒色部分はＵＬ制御領域を示す。その他の領域は、ＤＬデータ伝送またはＵＬデータ伝送のために使用される。１つのサブフレーム内でＤＬ伝送およびＵＬ伝送が順に行われるので、サブフレーム内でＤＬデータを出し（送り）、ＵＬ  ＡＣＫ／ＮＡＣＫを受けることができる。結果として、データ伝送エラーの発生時にデータ再伝送までにかかる時間を短縮させることにより、最終データ伝達の遅延を最小にすることができる。
【００６８】
構成／設定が可能なセルフコンテインドサブフレームタイプの例として、少なくとも以下の４つのタイプが考えられる。各々の区間は、時間順に並んでいる。
【００６９】
−ＤＬ制御区間＋ＤＬデータ区間＋ＧＰ（Guard Period）＋ＵＬ制御区間
【００７０】
−ＤＬ制御区間＋ＤＬデータ区間
【００７１】
−ＤＬ制御区間＋ＧＰ＋ＵＬデータ区間＋ＵＬ制御区間
【００７２】
−ＤＬ制御区間＋ＧＰ＋ＵＬデータ区間
【００７３】
ＤＬ制御区間では、ＰＤＦＩＣＨ、ＰＨＩＣＨ、ＰＤＣＣＨが伝送され、ＤＬデータ区間では、ＰＤＳＣＨが伝送される。ＵＬ制御区間では、ＰＵＣＣＨが伝送され、ＵＬデータ区間では、ＰＵＳＣＨが伝送される。ＧＰは、基地局および端末が送信モードから受信モードに転換される過程または受信モードから送信モードに転換される過程で時間ギャップを提供する。サブフレーム内において、ＤＬからＵＬに転換される時点の一部のＯＦＤＭシンボルがＧＰとして設定される。
【００７４】
３ＧＰＰ  ＮＲシステム環境では、１つの端末にアグリゲート（併合）される複数のセル間で、ＯＦＤＭニューマロロジ、例えば、副搬送波間隔（ＳＣＳ）およびそれに基づくＯＦＤＭシンボル（ＯＳ）区間（duration）が異なるように設定される。これにより、同数のシンボルで構成された時間リソース（例えば、ＳＦ、スロットまたはＴＴＩ）（便宜上、ＴＵ（Time Unit）と総称）の（絶対時間）区間が、アグリゲートされたセル間で異なるように設定される。ここで、シンボルは、ＯＦＤＭシンボル、ＳＣ−ＦＤＭＡシンボルを含む。
【００７５】
図７は、３ＧＰＰ  ＮＲで定義されたフレーム構造を例示する。ＬＴＥ／ＬＴＥ−Ａの無線フレームのように（図２を参照）、３ＧＰＰ  ＮＲにおいて、１つの無線フレームは１０個のサブフレームで構成され、各サブフレームは１ｍｓの長さを有する。１つのサブフレームは、１つまたは複数のスロットを含み、スロット長さは、ＳＣＳによって異なる。３ＧＰＰ  ＮＲは、１５ＫＨｚ、３０ＫＨｚ、６０ＫＨｚ、１２０ＫＨｚ、２４０ＫＨｚのＳＣＳをサポートする。ここで、スロットは、図６のＴＴＩに対応する。
【００７６】
表４は、ＳＣＳによって、スロットごとのシンボル数、フレームごとのスロット数、サブフレームごとのスロット数が変化することを例示する。
【００７７】
［表４］
【表４】
2021511745.tif 000006
【００７８】
以下、ＮＢ−ＩｏＴ（Narrow Band-Internet of Things）について説明する。便宜上、３ＧＰＰ  ＬＴＥ標準に基づくＮＢ−ＩｏＴを主に説明するが、以下の説明は、３ＧＰＰ  ＮＲ標準にも同様に適用できる。このため、一部の技術構成を変更して解釈することもできる（例えば、ＬＴＥ帯域−＞ＮＲ帯域、サブフレーム−＞スロット）。ＮＢ−ＩｏＴは、インバンド、ガードバンド、スタンドアローンの３つの運用モードをサポートし、各モードごとに同じ要求事項が適用される。
【００７９】
（１）インバンドモード：ＬＴＥ帯域内のリソースの一部をＮＢ−ＩｏＴに割り当てる。
【００８０】
（２）ガードバンドモード：ＬＴＥの保護周波数帯域を活用し、ＮＢ−ＩｏＴキャリアは、ＬＴＥの縁部の副搬送波にできる限り近く配置される。
【００８１】
（３）スタンドアローンモード：ＧＳＭ（登録商標）帯域内の一部のキャリアをＮＢ−ＩｏＴに割り当てる。
【００８２】
ＮＢ−ＩｏＴ端末は、初期同期のために１００ｋＨｚ単位でアンカキャリアをサーチ（探索）し、インバンドおよびガードバンドにおいて、アンカキャリアの中心周波数は、１００ｋＨｚチャネルラスタから±７．５ｋＨｚ以内に位置する必要がある。ＬＴＥ  ＰＲＢのうちの６個のＰＲＢは、ＮＢ−ＩｏＴに割り当てられない。したがって、アンカキャリアは、特定のＰＲＢのみに位置する。
【００８３】
図８は、ＬＴＥ帯域幅１０ＭＨｚにおけるインバンドアンカキャリアの配置を例示する。
【００８４】
図８を参照すると、ＤＣ（Direct Current）副搬送波は、チャネルラスタに位置する。隣接するＰＲＢ間の中心周波数間隔が１８０ｋＨｚであるので、ＰＲＢインデックス４、９、１４、１９、３０、３５、４０、４５は、チャネルラスタから±２．５ｋＨに中心周波数が位置する。これと同様に、ＬＴＥ帯域幅２０ＭＨｚにおいて、アンカキャリアとして適合するＰＲＢの中心周波数は、チャネルラスタから±２．５ｋＨｚに位置し、ＬＴＥ帯域幅３ＭＨｚ、５ＭＨｚ、１５ＭＨｚにおいて、アンカキャリアとして適合するＰＲＢの中心周波数は、チャネルラスタから±７．５ｋＨｚに位置する。
【００８５】
ガードバンドモードの場合、帯域幅１０ＭＨｚおよび２０ＭＨｚにおいて、ＬＴＥの縁部のＰＲＢに隣接するＰＲＢは、チャネルラスタから±２．５ｋＨｚに中心周波数が位置する。帯域幅３ＭＨｚ、５ＭＨｚ、１５ＭＨｚの場合、縁部のＰＲＢから３個の副搬送波に該当する保護周波数帯域を使用することにより、チャネルラスタから±７．５ｋＨｚにアンカキャリアの中心周波数を位置付けることができる。
【００８６】
スタンドアローンモードのアンカキャリアは、１００ｋＨｚチャネルラスタで整列され、ＤＣキャリアを含む全てのＧＳＭ（登録商標）キャリアをＮＢ−ＩｏＴアンカキャリアとして活用することができる。
【００８７】
ＮＢ−ＩｏＴは、マルチキャリアをサポートし、インバンド＋インバンド、インバンド＋ガードバンド、ガードバンド＋ガードバンド、スタンドアローン＋スタンドアローンの組み合わせが使用される。
【００８８】
ＮＢ−ＩｏＴ下りリンクは、１５ｋＨｚ副搬送波間隔を有するＯＦＤＭＡ方式を使用する。これは、副搬送波間の直交性を提供してＬＴＥシステムとの共存を円滑にする。
【００８９】
ＮＢ−ＩｏＴ下りリンクには、ＮＰＢＣＨ（Narrowband Physical Broadcast CHannel）、ＮＰＤＳＣＨ（Narrowband Physical Downlink Shared CHannel）、ＮＰＤＣＣＨ（Narrowband Physical Downlink Control CHannel）などの物理チャネルが提供され、ＮＰＳＳ（Narrowband Primary Synchronization Signal）、ＮＳＳＳ（Narrowband Primary Synchronization Signal）、ＮＲＳ（Narrowband Reference Signal）などの物理信号が提供される。
【００９０】
ＮＰＢＣＨは、ＮＢ−ＩｏＴ端末がシステム接続に必要な最小限のシステム情報であるＭＩＢ−ＮＢ（Master Information Block-NarrowBand）を端末に伝達する。ＮＰＢＣＨ信号は、カバレッジ向上のために合計８回の繰り返し送信が可能である。ＭＩＢ−ＮＢのＴＢＳ（Transport Block Size）は、３４ビットであり、６４０ｍｓ  ＴＴＩ周期ごとに新しく更新される。ＭＩＢ−ＮＢは、運用モード、ＳＦＮ（System Frame Number）、Ｈｙｐｅｒ−ＳＦＮ、ＣＲＳ（Cell-specific Reference Signal）ポート数、チャネルラスタオフセットなどの情報を含む。
【００９１】
ＮＰＳＳは、シーケンスの長さが１１であり、ルートインデックスが５であるＺＣ（Zadoff-Chu）シーケンスで構成される。ＮＰＳＳは、以下の数式により生成される。
【００９２】
［数式１］
【数１】
2021511745.tif 000007
【００９３】
ここで、ＯＦＤＭシンボルインデックスｌに対するＳ（ｌ）は、表５のように定義される。
【００９４】
［表５］
【表５】
2021511745.tif 000008
【００９５】
ＮＳＳＳは、シーケンスの長さが１３１であるＺＣシーケンスとアダマール（Hadamard）シーケンスのようなバイナリースクランブル（binary scrambling）シーケンスとの組み合わせで構成される。ＮＳＳＳは、セル内のＮＢ−ＩｏＴ端末にシーケンスの組み合わせによりＰＣＩＤを指示する。ＮＳＳＳは、以下の数式により生成される。
【００９６】
［数式２］
【数２】
2021511745.tif 000009
【００９７】
ここで、数式２に適用される変数は、以下のように定義される。
【００９８】
［数式３］
【数３】
2021511745.tif 000010
【００９９】
ここで、バイナリーシーケンスｂq（ｍ）は、表６のように定義され、ｂ0（ｍ）〜ｂ3（ｍ）は、各々１２８次のアダマール行列の１、３２、６４、１２８列に該当する。フレーム番号ｎfに対する巡回シフト（cyclic shift）θfは、数式４のように定義される。
【０１００】
［表６］
【表６】
2021511745.tif 000011
【０１０１】
［数式４］
【数４】
2021511745.tif 000012
【０１０２】
ここで、ｎｆは無線フレーム番号を示す。ｍｏｄはモジュロ関数を示す。
【０１０３】
ＮＲＳは、下りリンク物理チャネルの復調に必要なチャネル推定のための参照（基準）信号として提供され、ＬＴＥと同じ方式で生成される。ただし、初期化のための初期値としてＮＢ−ＰＣＩＤ（NarrowBand-Physical cell ID）（またはＮＣｅｌｌ  ＩＤ、ＮＢ−ＩｏＴ基地局ＩＤ）を使用する。ＮＲＳは、１つまたは２つのアンテナポートにより送信される（ｐ＝２０００、２００１）。
【０１０４】
ＮＰＤＣＣＨは、ＮＰＢＣＨと同じ送信アンテナ構成を有し、ＤＣＩを運ぶ。３種類のＤＣＩフォーマットをサポートする。ＤＣＩフォーマットＮ０は、ＮＰＵＳＣＨ（Narrowband Physical Uplink Shared CHannel）スケジューリング情報を含み、ＤＣＩフォーマットＮ１およびＮ２は、ＮＰＤＳＣＨスケジューリング情報を含む。ＮＰＤＣＣＨは、カバレッジ向上のために最大２０４８回の繰り返し送信が可能である。
【０１０５】
ＮＰＤＳＣＨは、ＤＬ−ＳＣＨ（DownLink-Shared CHannel）、ＰＣＨ（Paging CHannel）などの送信チャネルのデータ（例えば、ＴＢ）を送信するために使用される。最大ＴＢＳは６８０ビットであり、カバレッジ向上のために最大２０４８回の繰り返し送信が可能である。
【０１０６】
図９は、ＦＤＤ  ＬＴＥシステムにおいてＮＢ−ＩｏＴ下りリンク物理チャネル／信号が送信される位置を例示する。
【０１０７】
図９を参照すると、ＮＰＢＣＨは、各フレームの１番目のサブフレーム、ＮＰＳＳは、各フレームの６番目のサブフレーム、ＮＳＳＳは、各偶数フレームの最後（例えば、１０番目）のサブフレームで送信される。ＮＢ−ＩｏＴ端末は、同期信号（ＮＰＳＳ、ＮＳＳＳ）を用いて周波数、シンボルおよびフレーム同期を得、５０４個のＰＣＩＤ（Physical Cell ID）（すなわち、基地局ＩＤ）をサーチする。ＬＴＥ同期信号は、６個のＰＲＢにより送信され、ＮＢ−ＩｏＴ同期信号は、１個のＰＲＢにより送信される。
【０１０８】
ＮＢ−ＩｏＴにおいて、上りリンク物理チャネルは、ＮＰＲＡＣＨ（Narrowband Physical Random Access CHannel）およびＮＰＵＳＣＨで構成され、シングルトーン送信およびマルチトーン送信をサポートする。シングルトーン送信は、３．５ｋＨｚおよび５ｋＨｚの副搬送波間隔に対してサポートされ、マルチトーン送信は、１５ｋＨｚの副搬送波間隔のみに対してサポートされる。上りリンクにおいて、１５Ｈｚの副搬送波間隔は、ＬＴＥとの直交性を維持することができるので、最適な性能を提供するが、３．７５ｋＨｚの副搬送波間隔は、直交性が瓦解されて干渉による性能劣化が発生することができる。
【０１０９】
ＮＰＲＡＣＨプリアンブルは、４個のシンボルグループで構成され、各シンボルグループは、ＣＰおよび５個の（ＳＣ−ＦＤＭＡ）シンボルで構成される。ＮＰＲＡＣＨは、３．７５ｋＨｚの副搬送波間隔のシングルトーン送信のみをサポートし、互いに異なるセル半径をサポートするために、長さ６６．７μｓおよび２６６．６７μｓのＣＰを提供する。各シンボルグループは、周波数ホッピング（跳躍）を行い、ホッピングパターンは、以下の通りである。１番目のシンボルグループを送信する副搬送波は、擬似ランダム（pseudo-random）方式で決定される。２番目のシンボルグループは、１つの副搬送波のホッピング、３番目のシンボルグループは、６個の副搬送波のホッピング、また、４番目のシンボルグループは、１つの副搬送波のホッピングを行う。繰り返し送信の場合、周波数ホッピング手順を繰り返して適用し、カバレッジ向上のためにＮＰＲＡＣＨプリアンブルは、最大１２８回までの繰り返し送信が可能である。
【０１１０】
ＮＰＵＳＣＨは、２つのフォーマットをサポートする。ＮＰＵＳＣＨフォーマット１は、ＵＬ−ＳＣＨ送信に使用され、最大ＴＢＳは、１０００ビットである。ＮＰＵＳＣＨフォーマット２は、ＨＡＲＱ  ＡＣＫシグナリングなどの上りリンク制御情報送信に使用される。ＮＰＵＳＣＨフォーマット１は、シングル／マルチトーン送信をサポートし、ＮＰＵＳＣＨフォーマット２は、シングルトーン送信のみをサポートする。シングルトーン送信の場合、ＰＡＰＲ（Peat-to-Average Power Ratio）を減らすために、ｐｉ／２−ＢＰＳＫ（Binary Phase Shift Keying）、ｐｉ／４−ＱＰＳＫ（Quadrature Phase Shift Keying）を使用する。
【０１１１】
スタンドアローンおよびガードバンドモードでは、１（個の）ＰＲＢに含まれる全てのリソースをＮＢ−ＩｏＴに割り当てることができる。一方、インバンドモードの場合は、既存のＬＴＥ信号との共存のために、リソースマッピングに制約がある。例えば、インバンドモードにおいて、ＬＴＥ制御チャネル割り当て領域に分類されるリソース（各サブフレームの０〜２番目のＯＦＤＭシンボル）は、ＮＰＳＳ／ＮＳＳＳに割り当てられず、ＬＴＥ  ＣＲＳ  ＲＥにマッピングされたＮＰＳＳ／ＮＳＳＳシンボルは、パンクチャリング（穿孔）される。
【０１１２】
図１０は、インバンドモードにおけるＮＢ−ＩｏＴ信号およびＬＴＥ信号のリソース割り当てを例示する図である。図１０を参照すると、ＮＰＳＳおよびＮＳＳＳは、容易な具現のために、運用モードに関係なくＬＴＥシステムの制御領域に該当するＯＦＤＭシンボル（例えば、サブフレーム内の最初の３個のＯＦＤＭシンボル）では送信されない。また、ＬＴＥ  ＣＲＳ  ＲＥおよび物理リソース上で衝突するＮＰＳＳ／ＮＳＳ  ＲＥは、パンクチャされてＬＴＥシステムに影響を与えないようにマッピングされる。
【０１１３】
セルサーチ後、ＮＢ−ＩｏＴ端末は、ＰＣＩＤ以外のシステム情報がない状況でＮＰＢＣＨを復調する。したがって、ＬＴＥ制御チャネル割り当て領域にＮＰＢＣＨシンボルをマッピングできない。また、システム情報がない状況において、ＮＢ−ＩｏＴ端末は、４個のＬＴＥアンテナポート（例えば、ｐ＝０、１、２、３）、２個のＮＢ−ＩｏＴアンテナポート（例えば、ｐ＝２０００、２００１）を仮定するので、それによるＣＲＳ  ＲＥおよびＮＲＳ  ＲＥには、ＮＰＢＣＨが割り当てられない。したがって、ＮＰＢＣＨは、与えられた使用可能なリソースに合わせてレートマッピングされる。
【０１１４】
ＮＰＢＣＨの復調後、ＮＢ−ＩｏＴ端末は、ＣＲＳアンテナポート数に関する情報を得るが、相変わらずＬＴＥ制御チャネル割り当て領域に関する情報は、知らない。したがって、ＳＩＢ１（System Information Block type 1）データを送信するＮＰＤＳＣＨは、ＬＴＥ制御チャネル割り当て領域に分類されたリソースにマッピングされない。
【０１１５】
しかしながら、ＮＰＢＣＨとは異なって、ＬＴＥ  ＣＲＳに実際に割り当てられないＲＥは、ＮＰＤＳＣＨに割り当てられることができる。ＳＩＢ１の受信後、ＮＢ−ＩｏＴ端末は、リソースマッピングに関する情報を全て獲得した状態であるので、基地局は、ＬＴＥ制御チャネル情報およびＣＲＳアンテナポート数に基づいて、ＮＰＤＳＣＨ（ＳＩＢ１を送信する場合を除く）およびＮＰＤＣＣＨを使用可能リソースにマッピングする。
【０１１６】
図１１は、ＦＤＤ  ＮＢ−ＩｏＴにおいてマルチキャリアが構成された場合の動作を例示する図である。ＦＤＤ  ＮＢ−ＩｏＴでは、ＤＬ／ＵＬアンカキャリアが基本的に構成され、さらに、ＤＬ（およびＵＬ）非（ノン）アンカキャリアが構成される。ＲＲＣＣｏｎｎｅｃｔｉｏｎＲｅｃｏｎｆｉｇｕｒａｔｉｏｎに、非アンカキャリアに関する情報が含まれる。ＤＬ非アンカキャリアが構成されると、端末は、データをＤＬ非アンカキャリアのみで受信する。反面、同期信号（ＮＰＳＳ、ＮＳＳＳ）、ブロードキャスト（放送）信号（ＭＩＢ、ＳＩＢ）およびページング信号は、アンカキャリアのみで提供される。ＤＬ非アンカキャリアが構成されると、端末は、ＲＲＣ＿ＣＯＮＮＥＣＴＥＤ状態である間には、ＤＬ非アンカキャリアのみをリッスンする（聞く）（listen）。これと同様に、ＵＬ非アンカキャリアが構成されると、端末は、データをＵＬ非アンカキャリアのみで送信し、ＵＬ非アンカキャリアとＵＬアンカキャリアとで同時送信は許可（許容）されない。ＲＲＣ＿ＩＤＬＥ状態に遷移すると、端末は、アンカキャリアに戻る。
【０１１７】
図１１において、ＵＥ１は、アンカキャリアのみが構成された場合を示し、ＵＥ２は、ＤＬ／ＵＬ非アンカキャリアがさらに構成された場合を示し、ＵＥ３は、ＤＬ非アンカキャリアがさらに構成された場合を示す。これにより、各ＵＥにおいて、データが送／受信されるキャリアは、以下の通りである。
【０１１８】
−ＵＥ１：データ受信（ＤＬアンカキャリア）、データ送信（ＵＬアンカキャリア）
【０１１９】
−ＵＥ２：データ受信（ＤＬ非アンカキャリア）、データ送信（ＵＬ非アンカキャリア）
【０１２０】
−ＵＥ３：データ受信（ＤＬ非アンカキャリア）、データ送信（ＵＬアンカキャリア）
【０１２１】
ＮＢ−ＩｏＴ端末は、送信と受信とを同時に行えず、送／受信動作は、各々１つのバンドに制限される。したがって、マルチキャリアが構成されても、端末は、１つの１８０ｋＨｚ帯域の送／受信チェーンのみを要求する。
【０１２２】
表７は、ＮＢ−ＩｏＴで定義されたシステム情報を例示している。システム情報の獲得／変更過程は、ＲＲＣ＿ＩＤＬＥ状態でのみ行われる。端末は、ＲＲＣ＿ＣＯＮＮＥＣＴＥＤ状態ではＳＩＢ情報の受信を期待しない。システム情報が変更されると、端末は、ページングまたは直接指示により通知を受ける。変更されたシステム情報の適用のために、基地局は、端末をＲＲＣ＿ＩＤＬＥ状態に変更する。
【０１２３】
［表７］
【表７】
2021511745.tif 000013
【０１２４】
ＭＩＢ−ＮＢは、ＮＰＢＣＨを介して送信され、６４０ｍｓ周期でアップデートされる。ＭＩＢ−ＮＢは、ＳＦＮ  ｍｏｄ  ０を満たす無線フレームのサブフレーム＃０で１番目の送信が行われ、各無線フレームのサブフレーム＃０で送信される。ＭＩＢ−ＮＢは、８個の独立した復号可能なブロックにより送信され、各々のブロックは、８回繰り返して送信される。表８は、ＭＩＢ−ＮＢのフィールド構成を例示している。
【０１２５】
［表８］
【表８】
2021511745.tif 000014
【０１２６】
ＳＩＢ１−ＮＢは、ＮＰＤＳＣＨを介して送信され、２５６０ｍｓの周期を有する。ＳＩＢ１−ＮＢは、１６個の連続する無線フレーム内で偶数番目の無線フレーム（すなわち、８個の無線フレーム）のサブフレーム＃４で送信される。ＳＩＢ１−ＮＢが送信される１番目の無線フレームのインデックスは、ＮＰＤＳＣＨ繰り返し回数（Ｎｒｅｐ）およびＰＣＩＤにより導き出される。具体的には、Ｎｒｅｐが１６であり、ＰＣＩＤが２ｎ、２ｎ＋１である場合、１番目の無線フレームのインデックスは、｛０、１｝であり、Ｎｒｅｐが８であり、ＰＣＩＤが２ｎ、２ｎ＋１である場合は、偶数番目のＰＣＩＤおよび奇数番目のＰＣＩＤに対応する１番目の無線フレームのインデックスは、｛０、１６｝である。また、Ｎｒｅｐが４であり、ＰＣＩＤが４ｎ、４ｎ＋１、４ｎ＋２および４ｎ＋３である場合は、１番目の無線フレームのインデックスは、｛０、１６、３２、４８｝である。ＳＩＢ１−ＮＢは、２５６０ｍｓ内でＮｒｅｐ回繰り返され、２５６０ｍｓ内で均等に分布している。ＳＩＢ１−ＮＢのＴＢＳおよびＮｒｅｐは、ＭＩＢ−ＮＢ内のＳｙｓｔｅｍＩｎｆｏｒｍａｔｉｏｎＢｌｏｃｋＴｙｐｅ１−ＮＢにより指示される。
【０１２７】
表９は、ＳｙｓｔｅｍＩｎｆｏｒｍａｔｉｏｎＢｌｏｃｋＴｙｐｅ１−ＮＢによる繰り返し回数を示す。
【０１２８】
［表９］
【表９】
2021511745.tif 000015
【０１２９】
ＳＩメッセージ（すなわち、ＳＩＢ２−ＮＢ以後の情報）は、周期的に発生する時間領域ウィンドウ（すなわち、ＳＩ−ウィンドウ）内で送信される。ＳＩメッセージのスケジューリング情報は、ＳＩＢ１−ＮＢにより提供される。各々のＳＩメッセージは、１つのＳＩ−ウィンドウに関連付けられ、互いに異なるＳＩメッセージのＳＩ−ウィンドウは、互いに重複しない。すなわち、１つのＳＩ−ウィンドウ内では、対応するＳＩのみが送信される。ＳＩ−ウィンドウの長さは、全て同一であり、設定可能である。
【０１３０】
図１２は、ＷＵＳ（Wake-Up Signal）信号送信を例示する図である。
【０１３１】
ＮＢ−ＩｏＴ端末、ＢＬ／ＣＥ（Bandwidth reduced Low complexity/Coverage Enhancement）端末は、セル構成によってページングモニタリングに関連する電力消費を減らすために、ＷＵＳを使用することができる。ＷＵＳの構成時、アイドル（遊休）（idle）モードでは、以下の動作が考えられる。
【０１３２】
−ＷＵＳは、端末にＭＰＤＣＣＨまたはＮＰＤＣＣＨをモニタリングして該当セルでページングを受信するように指示することができる。
【０１３３】
−ｅＤＲＸ（extended Discontinuous Reception）が構成されない端末の場合、ＷＵＳは、１つのページング機会（Paging Occasion、ＰＯ）（Ｎ＝１）に関連付けられる。ＰＯは、ページングのためにＰ−ＲＮＴＩでスクランブルされたＰＤＣＣＨが送信可能な時間リソース／区間（例えば、サブフレーム、スロット）を意味する。ＰＦ（Paging Frame）内に１つあるいは複数のＰＯが含まれ、ＰＦは、ＵＥ  ＩＤに基づいて周期的に設定される。ここで、ＵＥ  ＩＤは、端末のＩＭＳＩ（International Mobile Subscriber Identity）に基づいて決定される。
【０１３４】
−ｅＤＲＸが構成された端末の場合、ＷＵＳは、ＰＴＷ（Paging Transmission Window）内の１つまたは複数のページング機会（Ｎ≧１）に関連付けられることができる。ｅＤＲＸが構成された場合、ＵＥ  ＩＤに基づいてＰＨ（Paging Hyper-frames）が周期的に構成される。ＰＨ内にＰＴＷが定義され、端末は、ＰＴＷ内のＰＦでＰＯをモニタリングする。
【０１３５】
−ＷＵＳを検出した場合、端末は、ページングメッセージ受信のために、後続の（今後）Ｎ個のページング機会をモニタリングすることができる。
【０１３６】
−ＭＭＥ（Mobility Management Entity）のページング動作は、基地局がＷＵＳを使用することを知らない。
【０１３７】
図１２を参照すると、ＷＵＳは、ＰＯ以前の“設定された最大ＷＵＳ区間（Configured maximum WUS duration）”（以下、ＷＵＳウィンドウ）で送信される。端末は、ＷＵＳウィンドウ内でＷＵＳ繰り返し送信を期待できるが、実際のＷＵＳ送信の回数は、ＷＵＳウィンドウ内の最大ＷＵＳ送信の回数より少ない。例えば、良いカバレッジ内の端末については、ＷＵＳ繰り返し回数が少ないことがある。便宜上、ＷＵＳウィンドウ内でＷＵＳが送信可能なリソース／機会をＷＵＳリソースと称する。ＷＵＳリソースは、複数の連続するＯＦＤＭシンボルおよび複数の連続する副搬送波により定義される。ＷＵＳリソースは、サブフレームまたはスロット内の複数の連続するＯＦＤＭシンボルと複数の連続する副搬送波とにより定義される。例えば、ＷＵＳリソースは、１４個の連続するＯＦＤＭシンボルと１２個の連続する副搬送波とにより定義される。ＷＵＳウィンドウとＰＯとの間にはギャップが存在し、端末は、ギャップではＷＵＳをモニタリングしない。ＷＵＳウィンドウでＷＵＳが検出されると、端末は、ＷＵＳ（ウィンドウ）に関連する１つまたは複数のＰＯでページング関連信号をモニタリングする。ＮＢ−ＩｏＴの場合、ＲＲＣ＿ＩＤＬＥ状態の端末は、システム情報に基づいてアンカキャリアまたは非アンカキャリアでページングを受信することができる。
【０１３８】
実施例１：ＷＵＳのシーケンスおよびスクランブル
【０１３９】
以下、ＷＵＳを使用可能なシステムにおいて、端末がＷＵＳにより複数の対応チャネル（corresponding CHannel、ｃｏＣＨ）を区分する方法を提案する。
【０１４０】
ＷＵＳは、受信端の側面で、ｃｏＣＨモニタリングによる電力消費を減らす目的、ｃｏＣＨモニタリングのための情報を提供する目的、およびｃｏＣＨの一部情報を予め提供する目的などで使用できる信号（またはチャネル）である。ここで、ｃｏＣＨは、受信端がＷＵＳを介して送信に関連する情報を得られる特定のチャネル（または信号）を意味する。ｃｏＣＨに関連する情報は、ｃｏＣＨ送信の有無やモニタリング周期、モニタリング時点、符号化技法などのｃｏＣＨ送信／モニタリングに関連する情報であり、ｃｏＣＨが提供する情報の一部である。一例として、受信端は、ｃｏＣＨモニタリングの有無をＷＵＳに含まれる情報に基づいて決定する。例えば、ｃｏＣＨは、ＰＤＣＣＨ、具体的にはページングＰＤＣＣＨ、より具体的にはＰ−ＲＮＴＩでスクランブルされたＰＤＣＣＨを含む。ここで、ＰＤＣＣＨは、繰り返し送信が伴われるＰＤＣＣＨ、例えば、ＭＰＤＣＣＨ（Machine Type Communication、ＭＴＣ  ＰＤＣＣＨ）またはＮＰＤＣＣＨを含む。
【０１４１】
互いに異なる端末のためのｃｏＣＨが複数存在し、これらが互いに隣接している場合、ＷＵＳが送信される時間／周波数リソースが互いに重なることができる。この場合、ＷＵＳが全ての端末について同一である場合、端末は、モニタリングしたＷＵＳが、自体がモニタリングするｃｏＣＨに関連するか否かを判断できないので、ＷＵＳが提供する情報を誤認することができる。一例として、ＮＢ−ＩｏＴにおいて、ＷＵＳがページングＮＰＤＣＣＨの送信の有無を指示する目的で使用される場合、端末は、他のＰＯに該当するＷＵＳを検出し、ＮＰＤＣＣＨ復号を行うことができる。この場合、端末が不要なＮＰＤＣＣＨモニタリングを行うため、電力の浪費が発生する。このような状況を考慮して、以下、端末がＷＵＳを自体のｃｏＣＨに関連付けられる情報を用いて区分できる方法を提案する。
【０１４２】
本発明では、１つのセルで複数のリソースパート（Resource Part、ＲＰ）を運用する状況を考慮する。セルは、端末が同期信号およびシステム情報を得ることによりネットワークに接続するための単位として、端末がデータ送受信を行える時間、周波数および空間領域上のリソースを保有し、それをスケジューリングすることができる。ここで、ＲＰは、セルが保有する時間、周波数、および空間領域上のリソースを１つまたは複数の領域に分け、これを端末にスケジューリングして端末がデータ送受信を行う単位を意味する。一例として、ＭＴＣの狭帯域（narrow band）、ＮＢ−ＩｏＴの（アンカまたは非アンカ）搬送波、ＮＲのＢＷＰ（BandWidth Part）またはビームフォーミング（形成）により区分されるビームインデックスなどがＲＰに該当する。ＷＵＳおよびこれに対応するｃｏＣＨは、ＲＰ上における動作を仮定する。一例として、端末が特定のＲＰにキャンプオン（camp on）する場合、端末は、ＷＵＳおよびｃｏＣＨのモニタリングを該当ＲＰ内で期待することができる。以下では、端末が複数のＲＰのうちの１つを選択する場合、選択可能なＲＰの集合をＲＰリストで定義する。
【０１４３】
以下では、便宜上、１つのＷＵＳが１つのｃｏＣＨに対応する場合について記載するが、１つのＷＵＳが複数のｃｏＣＨに対応する場合にも本発明を適用できる。また、以下では、便宜上、送信端を基地局とし、受信端を端末とするＤＬ送信の状況を仮定するが、送信端を端末とし、受信端を基地局とするＵＬ送信の状況にも本発明で提案する方法を適用できる。また、以下では、ＷＵＳに対応するｃｏＣＨが存在する場合について記載するが、本発明は、ＷＵＳ以外の他の目的に使用される特定の信号（例えば、対応するｃｏＣＨなしで独立して使用される信号）についても適用することができる。
【０１４４】
以下では、ｃｏＣＨに関連する情報を伝達するために、ＷＵＳに関連するパラメータを決定する方法を説明するが、その他にも、互いに関連付けられる信号やチャネルが存在する場合、１つの信号やチャネルにより他の信号やチャネルの送信方式が決定される状況にも適用することができる。
【０１４５】
以後、本発明で提案する方法は、各々の方法を独立して運用するか、または互いに組み合わせて運用することができる。１つまたは複数の方法を組み合わせる場合、組み合わせる方法は、基地局の判断によって決定される。また、本発明で提案する方法は、本発明に記載していない他の技術と組み合わせて運用されることもできる。
【０１４６】
ＷＵＳシーケンスおよび／またはスクランブル
【０１４７】
（Ｍｅｔｈｏｄ  １．１）ＷＵＳのシーケンスおよび／またはスクランブルは、ｃｏＣＨ機会（occasion）に関連する情報に基づいて決定される。
【０１４８】
この方法において、ｃｏＣＨ機会は、ＷＵＳに関連するｃｏＣＨ送信が行われる（または開始される）時間領域上のリソース（例えば、無線フレーム、サブフレーム、スロット、ＯＦＤＭシンボル）を意味し、および／またはｃｏＣＨの送信が行われる周波数領域上のリソース（例えば、ＲＢ）を意味する。
【０１４９】
一例として、ｃｏＣＨがページング情報を指示するＰＤＣＣＨ（またはＭＰＤＣＣＨまたはＮＰＤＣＣＨ）である場合、ｃｏＣＨ機会は、ＰＯである。ＰＯに関連する情報は、ＰＯを定めるために使用されるインデックス値ｉ＿ｓを含むか、またはｉ＿ｓにより指定された無線フレーム内のサブフレーム番号を含む。例えば、ｉ＿ｓは、０〜３のうちの１つの値を有し、無線フレーム内でサブフレーム＃０、＃４、＃５、＃９のうちのいずれかを指示することができる。
【０１５０】
一例として、ｃｏＣＨがページング情報を指示するＰＤＣＣＨ（またはＭＰＤＣＣＨまたはＮＰＤＣＣＨ）である場合、ｃｏＣＨ機会は、ＰＦである。ＰＦに関連する情報は、ＰＦを指定するＳＦＮを含むか、またはＳＦＮを変数とする関数により決定される値を含む。
【０１５１】
一例として、ｃｏＣＨがページング情報を指示するＭＰＤＣＣＨまたはＮＰＤＣＣＨである場合、ｃｏＣＨ機会は、各々狭帯域（または部分狭帯域）または搬送波である。狭帯域（または部分狭帯域）に関連する情報は、狭帯域（または部分狭帯域）に属するＰＲＢのインデックスを含む。搬送波に関連する情報は、マルチ搬送波動作を指定するときに使用される搬送波リストを含む。
【０１５２】
ｃｏＣＨ機会に関連する情報は、１つまたは複数の情報を含む。一例として、ｃｏＣＨがページング情報を指示するＰＤＣＣＨ（またはＭＰＤＣＣＨまたはＮＰＤＣＣＨ）である場合、ｃｏＣＨ機会に関連する情報は、ＰＯおよびＰＦに関連付けられる情報を同時に含む。
【０１５３】
この方法が使用される場合、隣接端末は、ＷＵＳシーケンスおよび／またはスクランブルによりモニタリングしたＷＵＳが、自体が期待するｃｏＣＨに関連付けられる信号であるか否かを把握することができる。一例として、ｃｏＣＨがページング目的のＮＰＤＣＣＨであり、互いに異なるｃｏＣＨを指示するＷＵＳの送信リソースが全体または一部で重なる場合、端末は、自体のＰＯに関連する情報を用いてＷＵＳに使用されるシーケンスおよび／またはスクランブル値を演算し、これによりＷＵＳ検出を行うことができる。具体的には、ＮＢ−ＩｏＴのようにページングＮＰＤＣＣＨおよびＷＵＳが複数のサブフレームにより送信される場合、隣接するＰＯ間のＷＵＳ送信サブフレームは、互いに重なることができる。このとき、ＷＵＳを各々のＰＯごとに区分するために、Ｍｅｔｈｏｄ  １．１が適用される。
【０１５４】
ＷＵＳリソースがｃｏＣＨにより区分されている場合、Ｍｅｔｈｏｄ  １．１は、ｃｏＣＨ機会に関連する情報の代わりに、ＷＵＳリソースに関連付けられる情報を用いてＷＵＳシーケンスおよび／またはスクランブルを演算する方法に適用される。一例として、ＷＵＳリソースに関連付けられる情報は、ＷＵＳ送信が開始される（またはＷＵＳが送信されるように設定されたＷＵＳウィンドウが開始される）ＷＵＳ機会を含む。
【０１５５】
（Ｍｅｔｈｏｄ  １．１−１）ｃｏＣＨ機会に関連する情報は、ＷＵＳシーケンスを決定するために使用される。
【０１５６】
一例として、ＷＵＳがＺＣ（Zadoff-Chu）シーケンスに基づいて生成される場合、ＺＣシーケンスに適用される巡回シフト値は、ｃｏＣＨ機会に関連する情報に基づいて決定される。一例として、ＮＢ−ＩｏＴの状況において、ＷＵＳ基本送信単位が１つのサブフレームをスパン（span）する（にまたがる）長さ１３１のＺＣシーケンスにより定義されるとき、４つの巡回シフト値がリスト形態で定義される。この場合、ＷＵＳ送信に実際に使用される巡回シフト値は、ｃｏＣＨ機会に関連する情報に基づいて決定される。巡回シフト値のリストは、既に長さ１３１のＺＣシーケンスを使用しているＮＳＳＳとの区分のために、ＮＳＳＳで使用されている巡回シフト値以外の値のうち、ＮＳＳＳとの相関特性（correlation property）が良い値で選択／構成される（例えば、θf＝｛１／８、３／８、５／８、７／８｝）。
【０１５７】
他の例として、ＷＵＳがＺＣシーケンスに基づいて生成される場合、ＺＣシーケンスに乗じられるカバーコードは、ｃｏＣＨ機会に関連する情報に基づいて決定される。一例として、ＮＢ−ＩｏＴの状況において、ＷＵＳ基本送信単位が１つのサブフレームをスパンする長さ１３１のＺＣシーケンスにより定義されるとき、アダマール（Hadamard）シーケンスまたはゴールド（Gold）シーケンスがカバーコードとして使用される。アダマールシーケンスが使用される場合、選択可能なアダマールシーケンス候補をリスト化し、使用するシーケンス候補のインデックスをｃｏＣＨ機会に関連する情報に基づいて決定する。ゴールドシーケンスが使用される場合は、ゴールドシーケンスの初期値をｃｏＣＨ機会に関連する情報に基づいて生成／決定する。
【０１５８】
さらに他の例として、ＷＵＳがＺＣシーケンスに基づいて生成される場合、ＺＣシーケンスのルートインデックスは、ｃｏＣＨ機会に関連する情報に基づいて決定される。一例として、ＮＢ−ＩｏＴの状況において、ＷＵＳ基本送信単位が１つのサブフレームをスパンする長さ１３１のＺＣシーケンスにより定義されるとき、セルごとに選択可能なルートインデックスをＮ個とし、Ｎ個のルートインデックスを用いてＮ個のｃｏＣＨ機会を区分することができる。
【０１５９】
この方法では、ＷＵＳシーケンスは、ｃｏＣＨ機会に関連する情報のみを用いて決定されるか、または他のパラメータと組み合わせて決定される。
【０１６０】
（Ｍｅｔｈｏｄ  １．１−２）ｃｏＣＨ機会に関連する情報は、ＷＵＳシーケンスに適用されるスクランブルシーケンスの初期値を決定するために使用される。
【０１６１】
一例として、ＷＵＳに複素（complexed valued）シンボルレベル、ＲＥレベル、ＯＦＤＭシンボルレベル、スロットレベルおよび／またはサブフレームレベルでスクランブルが適用される場合、ＬＴＥゴールドシーケンスのようなランダムシーケンスを使用できる。ここで、ランダムシーケンスの初期値ｃinitは、ｃｏＣＨ機会に関連する情報に基づいて決定される。一例として、ＮＢ−ＩｏＴの状況において、ＷＵＳ基本送信単位が１つのサブフレームをスパンする長さ１３１のＺＣシーケンスにより定義されるとき、ＬＴＥゴールドシーケンスを用いてスクランブルが行われる場合、スクランブルシーケンスの初期値ｃinitは、ＰＯに関連付けられる情報に基づいて決定される。
【０１６２】
ＬＴＥ  Ｇｏｌｄシーケンスｃ（ｉ）は、以下の数式により定義される。
【０１６３】
［数式５］
【数５】
2021511745.tif 000016
【０１６４】
ここで、Ｎｃは１６００であり、１番目のｍ−シーケンスは、ｘ1（０）＝１、ｘ1（ｎ）＝０、ｎ＝１，２，…，３０に初期化される。２番目のｍ−シーケンスの初期値は、
2021511745.tif 000017
のように定義される。ここで、初期値ｃinitは、ＰＯに関連付けられる情報（例えば、無線フレームの番号、サブフレームインデックス、スロットインデックス、ＯＦＤＭシンボルインデックスのうちのいずれか１つ）に基づいて決定される。
【０１６５】
ＷＵＳに複素シンボルレベルまたはＲＥレベルでスクランブルが適用される場合、ＷＵＳスクランブルは、以下のように行われる。
【０１６６】
［数式６］
ｄ'（ｎ）＝ｃ'（ｎ）＊ｄ（ｎ）
【０１６７】
ここで、ｃ'（ｎ）は、ＬＴＥゴールドシーケンスｃ（ｉ）から得た複素シンボルシーケンスを示す。例えば、ＱＰＳＫが適用される場合、ｃ（２ｉ＋１）ｃ（２ｉ）がｃ'（ｉ）に対応する。ｄ（ｎ）は、ＷＵＳシーケンスである。ｄ'（ｎ）は、スクランブルされたＷＵＳシーケンスを示し、ｎは、０，１，…，１３１の値を有する。
【０１６８】
この方法において、スクランブルシーケンスの初期値は、ｃｏＣＨ機会に関連する情報のみを用いて決定されるか、または他のパラメータと組み合わせて決定される。
【０１６９】
繰り返し（repetition）方法
【０１７０】
ＷＵＳは、カバレッジ改善などのために繰り返して送信される。以下では、便宜上、ＷＵＳ繰り返しが１である場合に使用される時間／周波数領域上のリソースブロックを、ＷＵＳ基本送信単位として定義する。ＷＵＳ基本送信単位は、時間領域においてＯＦＤＭシンボル、スロット、サブフレームで構成され、周波数領域においてＲＢで構成される。
【０１７１】
（Ｍｅｔｈｏｄ  １．２）ＷＵＳに繰り返しが適用される場合、ＷＵＳのシーケンスおよび／またはスクランブルは、繰り返しが適用される間、同一に維持される。
【０１７２】
一例として、Ｍｅｔｈｏｄ  １．１−１によりＷＵＳシーケンスが決定される場合、ＷＵＳシーケンスは、ＷＵＳ送信が開始される位置で決定された値が、繰り返しが進行する間、同一に維持される。具体的には、ＮＢ−ＩｏＴにおいて、ＷＵＳ基本送信単位を１つのサブフレームとし、ＷＵＳ基本送信単位が繰り返される場合、ＷＵＳ送信が行われる間、各サブフレームに適用されるＷＵＳシーケンスは、全て同一に維持される。
【０１７３】
他の例として、Ｍｅｔｈｏｄ  １．１−２によりＷＵＳに適用されるスクランブルシーケンスの初期値が決定される場合、初期値は、ＷＵＳ送信が開始される位置で決定された値が、ＷＵＳ繰り返しが進行する間、同一に維持される。具体的には、ＮＢ−ＩｏＴにおいて、ＷＵＳ基本送信単位を１つのサブフレームとし、ＷＵＳ基本送信単位が繰り返される場合、ＷＵＳ送信が行われる間、各サブフレームに適用されるスクランブルシーケンスは、全て同一に維持される。
【０１７４】
この方法は、端末がＷＵＳを検出（または復号）する過程において、繰り返しを用いたコヒーレント結合（coherent combining）のような動作を容易にする。
【０１７５】
（Ｍｅｔｈｏｄ  １．３）ＷＵＳに繰り返しが適用される場合、ＷＵＳに適用されるシーケンスおよび／またはスクランブルは、繰り返しごとに（再）初期化される。
【０１７６】
一例として、Ｍｅｔｈｏｄ  １．１−１によりＷＵＳシーケンスが決定される場合、ＷＵＳシーケンスは、繰り返しごとに異なる。具体的には、ＮＢ−ＩｏＴにおいて、ＷＵＳ基本送信単位を１つのサブフレームとし、ＷＵＳ基本送信単位が繰り返される場合、ＷＵＳ送信が行われる間、各サブフレームで使用されるＷＵＳシーケンスは、サブフレーム単位で（独立して）決定される。
【０１７７】
他の例として、Ｍｅｔｈｏｄ  １−２によりＷＵＳに適用されるスクランブルシーケンスの初期値が決定される場合、初期値は、繰り返しごとに異なる。具体的には、ＮＢ−ＩｏＴにおいて、ＷＵＳ基本送信単位を１つのサブフレームとし、ＷＵＳ基本送信単位が繰り返される場合、ＷＵＳ送信が行われる間、各サブフレームに適用されるスクランブルシーケンスは、サブフレーム単位で（独立して）決定される。
【０１７８】
この方法は、ＷＵＳ繰り返しが適用される区間でセル間（インターセル）干渉のランダム効果を得るか、ＷＵＳの検出により開始サブフレームを推定するか、または全体もしくは一部の区間が重なるＷＵＳ間の干渉をランダム化する目的で使用される。
【０１７９】
（Ｍｅｔｈｏｄ  １．４）ＷＵＳに繰り返しが適用される場合、ＷＵＳに適用されるシーケンスおよび／またはスクランブルは、一定の周期で（再）初期化される。
【０１８０】
ここで、一定の周期は、ＷＵＳ基本送信単位の倍数に定められる。一例として、ＷＵＳ基本送信単位は、１つのサブフレームであり、Ｎ個のサブフレームごとにシーケンスおよび／またはスクランブルが（再）初期化される。この場合、シーケンスおよび／またはスクランブルがサブフレーム＃ｎで（再）初期化されると、サブフレーム＃ｎ〜＃ｎ＋Ｎ−１では同一のシーケンスおよび／またはスクランブルが使用され、サブフレーム＃ｎ＋Ｎでシーケンスおよび／またはスクランブルが再度（再）初期化される。このとき、サブフレームの数は、ＷＵＳ送信のために使用されたサブフレームのみをカウントする。
【０１８１】
一例として、Ｍｅｔｈｏｄ  １．１−１によりＷＵＳシーケンスが決定される場合、ＷＵＳシーケンスは、繰り返しごとに異なる。一例として、ＮＢ−ＩｏＴにおいて、ＷＵＳ基本送信単位を１つのサブフレームとし、ＷＵＳ基本送信単位が繰り返される場合、ＷＵＳ送信が行われる間、各サブフレームで使用されるＷＵＳシーケンスは、一定の周期で（再）初期化される。
【０１８２】
他の例として、Ｍｅｔｈｏｄ  １．１−２によりＷＵＳに適用されるスクランブルシーケンスの初期値が決定される場合、初期値は、繰り返しごとに異なる。一例として、ＮＢ−ＩｏＴにおいて、ＷＵＳ基本送信単位を１つのサブフレームとし、ＷＵＳ基本送信単位が繰り返される場合、ＷＵＳ送信が行われる間、各サブフレームに適用されるスクランブルシーケンスは、一定の周期で（再）初期化される。
【０１８３】
この方法は、ＷＵＳ繰り返しが適用される区間でセル間干渉のランダム化効果を得るか、ＷＵＳの検出により開始サブフレームを推定するか、または全体もしくは一部の区間が重なるＷＵＳ間で干渉をランダム化する目的で使用される。また、同一のシーケンスおよび／またはスクランブルが維持される区間は、端末がＷＵＳを検出（または復号）する過程で繰り返しを用いたコヒーレント結合のような動作を容易にするために使用される。
【０１８４】
（Ｍｅｔｈｏｄ  １．５−１）Ｍｅｔｈｏｄ  １．３またはＭｅｔｈｏｄ  １．４が使用されるとき、ＷＵＳに適用されるシーケンスおよび／またはスクランブルは、各ＷＵＳ基本送信単位が送信されるリソースのインデックスに基づいて決定される。
【０１８５】
ここで、リソースインデックスは、ＷＵＳ基本送信単位が送信される（ＯＦＤＭ）シンボル、スロットおよび／またはサブフレームなどの時間領域上のリソースインデックスを含む。具体的には、ＮＢ−ＩｏＴにおいて、ＷＵＳ基本送信単位を１つのサブフレームとし、ＷＵＳ基本送信単位が繰り返される場合、無線フレーム内のサブフレーム番号（または該当サブフレーム内のスロット番号）がＷＵＳのシーケンスおよび／またはスクランブルを決定するために使用される。
【０１８６】
（Ｍｅｔｈｏｄ  １．５−２）Ｍｅｔｈｏｄ  １．３またはＭｅｔｈｏｄ  １．４が使用されるとき、ＷＵＳに適用されるシーケンスおよび／またはスクランブルは、ＷＵＳ送信の開始点を基準として各ＷＵＳ基本送信単位が送信されるところまで行われた繰り返し回数に基づいて決定される。
【０１８７】
ここで、ＷＵＳ送信の開始点は、実際にＷＵＳ送信が開始される位置であるか、またはＷＵＳが送信されるように構成されたＷＵＳウィンドウが開始される位置である。ＷＵＳ基本送信単位が送信されるところまで進行した繰り返し回数は、（ＷＵＳウィンドウ内で）全体の繰り返されたＷＵＳ基本送信単位のうち、該当ＷＵＳ基本送信単位以前に送信されたＷＵＳ基本送信単位の総数である。具体的には、ＮＢ−ＩｏＴにおいて、ＷＵＳ基本送信単位を１つのサブフレームとし、ＷＵＳ基本送信単位が繰り返される場合、ＷＵＳ繰り返しが開始された後、該当ＷＵＳサブフレームまでＷＵＳ送信のために使用されたサブフレームの数がＷＵＳシーケンスおよび／またはスクランブルを決定するために使用される。
【０１８８】
シーケンス設計および運用モード
【０１８９】
ＮＢ−ＩｏＴのような場合、運用モードによって、ＤＬ目的で使用可能なＯＦＤＭシンボルの数が異なる。一例として、運用モードがガードバンドおよびスタンドアローンモードである場合、ＮＢ−ＩｏＴにおいて、ＤＬは、１つのサブフレーム内の全てのＯＦＤＭシンボルを使用して送信される反面、インバンドモードである場合、ＬＴＥ制御領域を保護するために、ＮＢ−ＩｏＴにおいて、ＤＬは、サブフレームで最大で最初から３つのＯＦＤＭシンボルのみを使用できる。
【０１９０】
（Ｍｅｔｈｏｄ  １．６）運用モードに関係なく、１つのサブフレーム内ににおける４thＯＦＤＭシンボル〜１４thＯＦＤＭシンボルまでのＷＵＳシーケンス生成方式およびマッピング方法は、同一である。
【０１９１】
運用モードによってＷＵＳ構造が異なる場合、端末は、各運用モードによるＷＵＳ受信器を全て具現しなければならないので、端末の複雑度およびコスト（費用）が増加する。本発明では、この問題を解決するために、インバンド、ガードバンド、スタンドアローンのモードで同様に使用されるＯＦＤＭシンボル（４thＯＦＤＭシンボル〜１４thＯＦＤＭシンボル）の位置では、共通のＷＵＳ生成およびマッピング方式を使用することを提案する。この場合、端末は、該当位置のＯＦＤＭシンボルでは常に同一のＷＵＳ送信形態を期待でき、インバンドモードにおいてＷＵＳ受信に使用される受信器を、ガードバンドおよびスタンドアローンモードにおいてＷＵＳ受信過程で再活用することができるという長所がある。
【０１９２】
一方、サブフレームにおいてＬＴＥ制御領域として使用される区間（例えば、１stＯＦＤＭシンボル〜３rdＯＦＤＭシンボル）では、ＷＵＳシーケンス生成方式およびマッピング方法は、運用モードによって、Ｍｅｔｈｏｄ  １．６−１およびＭｅｔｈｏｄ  １．６−２が使用される。
【０１９３】
（Ｍｅｔｈｏｄ  １．６−１）Ｍｅｔｈｏｄ  １．６が使用され、運用モードがインバンドモードである場合、端末は、１stＯＦＤＭシンボル〜３rdＯＦＤＭシンボルの間の区間ではＷＵＳを期待しない。
【０１９４】
インバンドモードの場合、サブフレームで最初から最大３つのＯＦＤＭシンボルは、ＬＴＥ制御領域の送信のために、ＮＢ−ＩｏＴの目的で使用しないことができる。このとき、端末は、正確なＬＴＥ制御領域のサイズを基地局が送信する信号により把握でき、該当ＯＦＤＭシンボル区間ではＤＬデータ送信を期待しない。
【０１９５】
端末のＷＵＳ受信器構造を簡単にするために、インバンドモードの場合、端末が期待できるＷＵＳ送信形態を１つに固定する方法が考えられる。このために、インバンドモードの場合、ＬＴＥ制御領域で構成可能なサブフレーム内の最初から最大３つのＯＦＤＭシンボルをＷＵＳ送信で常に除外することができる。
【０１９６】
（Ｍｅｔｈｏｄ  １．６−２）Ｍｅｔｈｏｄ  １．６が使用されるとき、端末は、ＬＴＥ制御領域に含まれない全てのＯＦＤＭシンボルでＷＵＳを期待することができる。
【０１９７】
ＷＵＳ検出過程で端末が受信するＯＦＤＭシンボルの数が多いほど、より良好な性能が得られる。ガードバンドおよびスタンドアローンモードの場合、ＬＴＥ制御領域が存在しないので、全てのＯＦＤＭシンボルがＷＵＳの送信目的で使用されることができる。また、インバンドモードの場合にも、ＬＴＥ制御領域のサイズによって使用可能なＯＦＤＭシンボルの数が異なる。
【０１９８】
かかる特性を考慮して、本発明では、ＬＴＥ制御領域として使用されないＯＦＤＭシンボルを全てＷＵＳ目的で使用する方法を提案する。Ｍｅｔｈｏｄ  １．６が適用される場合、４thＯＦＤＭシンボル〜１４thＯＦＤＭシンボル区間は、ＬＴＥ制御領域の有無やサイズに関係なく、常に同じ形態のＷＵＳ生成およびマッピング方式が適用される。
【０１９９】
反面、１stＯＦＤＭシンボル〜３rdＯＦＤＭシンボルの間の区間でＷＵＳ送信のために使用可能なＯＦＤＭシンボルの位置でＷＵＳが生成およびマッピングされる方法としては、以下のオプションのうちの１つが使用される。
【０２００】
（オプション１．６−２−ａ）１stＯＦＤＭシンボル〜３rdＯＦＤＭシンボルの間に送信されるＷＵＳは、４thＯＦＤＭシンボル〜１４thＯＦＤＭシンボルのうちの一部が（ＯＦＤＭ）シンボル単位で繰り返される。
【０２０１】
４thＯＦＤＭシンボル〜１４thＯＦＤＭシンボルのうち、１stＯＦＤＭシンボル〜３rdＯＦＤＭシンボルの間に繰り返されるＯＦＤＭシンボルのインデックスは、（１）技術標準によって所定のパターンによって選択されるか（図１３〜図１５を参照）、（２）ランダムに選択される。技術標準によりＯＦＤＭシンボルインデックスのパターンが予め定められた場合、端末は、常に一定の動作を行うことができるという長所がある。一方、ＯＦＤＭシンボルインデックスがランダムに選択される場合は、複数のＯＦＤＭシンボルが繰り返される構造を活用したダイバーシチ利得が得られる。例えば、ＳＦＮにより計算されるランダムシーケンスの形態でＯＦＤＭシンボルインデックスが決定される。
【０２０２】
図１３は、提案方法の一例を示す図である。図１３は、ＷＵＳリソースを示し、各ボックスは、ＲＥを意味し、ＲＥに表記された数は、ＷＵＳシーケンスを構成する値／シンボルのインデックスを例示する。ＷＵＳシーケンスが長さ１３１のシーケンス（例えば、ＺＣシーケンス）に基づいて構成される場合、ＷＵＳシーケンスｄ（ｎ）は、以下の数式に基づいて決定される。
【０２０３】
［数式７］
【数７】
2021511745.tif 000018
【０２０４】
ここで、ｎ＝０、１、．．．、１３０であり、ｍ＝ｎ  ｍｏｄ  １３１である。ｕは、ルートシーケンスインデックスを示す。ｗ1（ｎ）は、複素値を要素（元素）として有するスクランブルシーケンスである。ＷＵＳシーケンス／スクランブルには、Ｍｅｔｈｏｄ  １．１、１．１−１、１．１−２が適用される。図において、ＲＥ内の数１〜１３１は、ＷＵＳシーケンスｄ（０）〜ｄ（１３０）に対応する。
【０２０５】
図１３を参照すると、運用モードがガードバンドまたはスタンドアローンモードである場合、ＷＵＳ送信のために割り当てられたサブフレームにおける４thＯＦＤＭシンボル〜１４thＯＦＤＭシンボルのうち、連続する３つのＯＦＤＭシンボル（例えば、４th〜６thＯＦＤＭシンボル）のＷＵＳシーケンスが１st〜３rdＯＦＤＭシンボルで繰り返される。これにより、長さ３６のシーケンスｄ（０）〜ｄ（３５）（すなわち、１〜３６）が１stＯＦＤＭシンボル〜３rdＯＦＤＭシンボルにマッピングされ、長さ１３２のシーケンスｄ（０）〜ｄ（１３０）、ｄ（０）（すなわち、１〜１３１，１）が４thＯＦＤＭシンボル〜１４thＯＦＤＭシンボルにマッピングされる。一方、運用モードがインバンドモードである場合、基地局は、１stＯＦＤＭシンボル〜３rdＯＦＤＭシンボルにＷＵＳをマッピングせず、端末は、１stＯＦＤＭシンボル〜３rdＯＦＤＭシンボルの間の区間でＷＵＳを期待しない。したがって、運用モードがインバンドモードである場合、端末は、４thＯＦＤＭシンボル〜１４thＯＦＤＭシンボルのみでＷＵＳを期待できる。なお、ＲＳ（例えば、ＣＲＳ、ＮＲＳ）がＷＵＳリソースに存在する場合は、ＷＵＳシーケンスは、パンクチャ（puncturing）される。
【０２０６】
（オプション１．６−２−ｂ）１stＯＦＤＭシンボル〜３rdＯＦＤＭシンボルには、４thＯＦＤＭシンボル〜１４thＯＦＤＭシンボルで使用されるＷＵＳシーケンスが巡回（循環）繰り返し構造でＲＥにマッピングされる。
【０２０７】
一例として、ＷＵＳシーケンスは、ＷＵＳ送信のために使用できる１stＯＦＤＭシンボル（例えば、４thＯＦＤＭシンボル）からマッピングを開始して、ＷＵＳシーケンスの長さによるｍｏｄｕｌａｒ演算を行い、ＷＵＳ送信のために使用可能な最後のＯＦＤＭシンボルまでマッピングされる。Ｍｅｔｈｏｄ  １．６が適用される場合、４thＯＦＤＭシンボル〜１４thＯＦＤＭシンボルに常に一定のＷＵＳシーケンスマッピングルールを適用するために、ＷＵＳマッピングの開始位置をオフセットを用いて調整することができる。数式８は、上記方法の例を数式で表現した例である。以下の式は，ＷＵＳシーケンスを複数のシーケンスの乗算形態で表現した場合を示す。
【０２０８】
［数式８］
【数８】
2021511745.tif 000019
【０２０９】
ここで、
2021511745.tif 000020
は、積（product）関数を示す。ｉは、ＷＵＳシーケンスの種類を区分するためのインデックスである。ｓiは、４thＯＦＤＭシンボル〜１４thＯＦＤＭシンボル区間でｗｉ値を使用可能なＯＦＤＭシンボル数に関係なく常に一定に維持するためのオフセット値である。Ｎiは、ｗiシーケンスの長さを意味し、一例として長さ１３１のＺＣシーケンスの場合、１３１を有する。
【０２１０】
図１４は、数式８に基づく提案方法の一例を示す。図は、ＷＵＳリソースを示し、各ボックスは、ＲＥを意味し、ＲＥに表記された数は、ＷＵＳシーケンスを構成する値／シンボルのインデックスを例示する。具体的には、ＲＥ内の数１〜１３１は、ＷＵＳシーケンスｄ（０）〜ｄ（１３０）に対応する。図は、数式８において、ｓiが９６であり、Ｎiが１３１である場合を例示する。図１４を参照すると、運用モードがガードバンドまたはスタンドアローンモードである場合、図示したように、ＷＵＳシーケンスは、４thＯＦＤＭシンボルの１stの副搬送波インデックスからＷＵＳシーケンスの１番目の値がマッピングされるように巡回シフトされる。これにより、長さ３６のシーケンスｄ（９５）〜ｄ（１３０）（すなわち、９６〜１３１）が１stＯＦＤＭシンボル〜３rdＯＦＤＭシンボルにマッピングされ、長さ１３２のシーケンスｄ（０）〜ｄ（１３０）、ｄ（０）（すなわち、１〜１３１，１）が４thＯＦＤＭシンボル〜１４thＯＦＤＭシンボルにマッピングされる。反面、運用モードがインバンドモードである場合は、基地局は、１stＯＦＤＭシンボル〜３rdＯＦＤＭシンボルにＷＵＳをマッピングせず、端末は、１stＯＦＤＭシンボル〜３rdＯＦＤＭシンボルの間の区間でＷＵＳを期待しない。したがって、運用モードがインバンドモードである場合、端末は、４thＯＦＤＭシンボル〜１４thＯＦＤＭシンボルのみでＷＵＳを期待できる。一方、ＲＳ（例えば、ＣＲＳ、ＮＲＳ）がＷＵＳリソースに存在する場合は、ＷＵＳシーケンスは、パンクチャされる。
【０２１１】
数式９は、運用モードがガードバンドまたはスタンドアローンモードである場合、本発明の他の提案方法を数式で表現した例である。以下の式は、ＷＵＳシーケンスが複数のシーケンスの積の形態で表現される場合を例示する。
【０２１２】
［数式９］
【数９】
2021511745.tif 000021
【０２１３】
ここで、
2021511745.tif 000022
は、積（product）関数を示す。ｉは、使用されるＷＵＳシーケンスの種類を区分するためのインデックスである。ｓiは、４thＯＦＤＭシンボル〜１４thＯＦＤＭシンボル区間でｗｉ値を使用可能なＯＦＤＭシンボル数に関係なく常に一定に維持するためのオフセット値である。ｔiは、１４thＯＦＤＭシンボルにマッピングされた最後のＷＵＳシーケンスのインデックスと１stＯＦＤＭシンボルで開始されるＷＵＳシーケンスのインデックスとを連結するためのオフセット値である。Ｎiは、ｗiシーケンスの長さを意味し、一例として長さ１３１のＺＣシーケンスの場合、１３１を有する。
【０２１４】
図１５は、数式９に基づく提案方法の一例を示す。図は、ＷＵＳリソースを示しており、各ボックスは、ＲＥを意味し、ＲＥに表記された数は、ＷＵＳシーケンスを構成する値／シンボルのインデックスを例示する。具体的には、ＲＥ内の数１〜１３１は、ＷＵＳシーケンスｄ（０）〜ｄ（１３０）に対応する。図では、数式９において、ｓiが９６であり、ｔiは１であり、Ｎiが１３１である場合を例示している。図１５を参照すると、運用モードがガードバンドまたはスタンドアローンモードである場合、図示したように、ＷＵＳシーケンスは、４thＯＦＤＭシンボルの１stの副搬送波インデックスからマッピングを開始して、１４thＯＦＤＭシンボルの最後のＲＥまでマッピングを完了した後、１stＯＦＤＭシンボルの１stの副搬送波インデックスにＲＥマッピングを続けることができる。これにより、長さ３６のシーケンスｄ（１）〜ｄ（３６）（すなわち、２〜３７）が１stＯＦＤＭシンボル〜３rdＯＦＤＭシンボルにマッピングされ、長さ１３２のシーケンスｄ（０）〜ｄ（１３０）、ｄ（０）（すなわち、１〜１３１，１）が４thＯＦＤＭシンボル〜１４thＯＦＤＭシンボルにマッピングされる。反面、運用モードがインバンドモードである場合は、基地局は、１stＯＦＤＭシンボル〜３rdＯＦＤＭシンボルにＷＵＳをマッピングせず、端末は、１stＯＦＤＭシンボル〜３rdＯＦＤＭシンボルの間の区間でＷＵＳを期待しない。したがって、運用モードがインバンドモードである場合、端末は、４thＯＦＤＭシンボル〜１４thＯＦＤＭシンボルのみでＷＵＳを期待できる。なお、ＲＳ（例えば、ＣＲＳ、ＮＲＳ）がＷＵＳリソースに存在する場合、ＷＵＳシーケンスは、パンクチャされることができる。
【０２１５】
（Ｍｅｔｈｏｄ  １．７）運用モードに関係なく、１つのサブフレーム内でＷＵＳシーケンス生成方式は同一であり、シーケンスマッピングは、サブフレーム内で使用可能な１番目の（ＯＦＤＭ）シンボルで開始される。
【０２１６】
運用モードによってＷＵＳ構造が異なる場合、端末は、各運用モードによるＷＵＳ受信器を全て具現しなければならないので、端末の複雑度およびコストが増加する。本発明では、この問題を解決するために、インバンド、ガードバンド、スタンドアローンのモードで一部のＯＦＤＭシンボルでは、共通ＷＵＳ生成方式を使用する方法を提案する。また、ＷＵＳシーケンスは、常にサブフレーム内でＷＵＳ送信目的で使用可能な１番目のＯＦＤＭシンボル（例えば、４thＯＦＤＭシンボル）で開始されるようにすることができる。この場合、端末は、全ての運用モードで共通するＷＵＳ送信形態を期待できる。一例として、インバンドモードにおける４th〜１４thＯＦＤＭシンボルのＷＵＳは、ガードバンド／スタンドアローンモードにおける１st〜１１thＯＦＤＭシンボルのＷＵＳのような形態を有することができる。この場合、インバンドモードにおいてＷＵＳの受信に使用される受信器を、ガードバンドおよびスタンドアローンモードにおいてＷＵＳの受信過程で再活用することができる。また、ＷＵＳシーケンスを生成する数式、構造およびマッピング順序が同一であるので、標準化および具現が相対的に簡単である。
【０２１７】
一例として、ＷＵＳシーケンスは、ＷＵＳ送信目的で使用可能な１番目のＯＦＤＭシンボルからマッピングを開始して、ＷＵＳシーケンスの長さに対するｍｏｄｕｌａｒ演算を行って、ＷＵＳ送信目的で使用可能な最後のＯＦＤＭシンボルまでマッピングできる。ここで、ＷＵＳシーケンス生成規則や数式は、運用モードに関係なく共通に使用することができる。以下の数式は、上記方法の一例を数式で表現した例である。
【０２１８】
［数式１０］
【数１０】
2021511745.tif 000023
【０２１９】
図１６は、数式１０に基づく提案方法の一例を示す図である。図において、各ボックスは、ＲＥを意味し、ＲＥに表記された数は、ＷＵＳシーケンスを構成する値／シンボルのインデックスを例示する。より具体的には、ＲＥ内の数１〜１３１は、ＷＵＳシーケンスｄ（０）〜ｄ（１３０）に対応する。図において、インバンドモードにおける４th〜１４thＯＦＤＭシンボルは、ガードバンド／スタンドアローンモードにおける１st〜１１thＯＦＤＭシンボルと同じ形態を有することができる。
【０２２０】
実施例２：スクランブル
【０２２１】
以下、物理チャネル（または信号）が繰り返して送信される場合に適用されるスクランブル技法を提案する。この提案方法は、２つ以上の物理チャネル（または信号）の発生可能な位置が一部重なる場合に、これらを区分するために使用される。
【０２２２】
ＮＢ−ＩｏＴ／ＭＴＣでは、カバレッジ拡張を目的として同一の物理チャネル（または信号）を繰り返して送信する技法を適用できる。例えば、ＮＢ−ＩｏＴ／ＭＴＣの場合、サブフレーム単位の繰り返しを適用でき、サブフレーム（またはスロット）にはセル間情報を区分して干渉をランダム化するためにスクランブルが適用されることができる。具体的には、ＮＢ−ＩｏＴ／ＭＴＣにおいて、物理チャネル（または信号）（例えば、ＰＤＣＣＨ、ＰＤＳＣＨ）は、Ｎｒｅｐ（≧１）個の有効な（valid）ＤＬサブフレームで繰り返されることができる。ここで、有効なＤＬサブフレームは、ＢＬ／ＣＥサブフレームを含む。物理チャネル（または信号）は、Ｎabs個のサブフレームをスパンして送信され、Ｎabsは、非ＢＬ／ＣＥサブフレームを含む。Ｎｒｅｐ（≧１）個の繰り返し送信が行われる場合、物理チャネル（または信号）には、サブフレームブロック単位で同一のスクランブルシーケンスが適用される。サブフレームブロックは、Ｎａｃｃ個の連続するサブフレームで構成され、Ｎａｃｃは、ＦＤＤの場合、１または４であり、ＴＤＤの場合は、１または１０である。具体的には、物理チャネル（または信号）は、以下のようにスクランブルされる。
【０２２３】
物理チャネル（または信号）のビットブロックｂ（０），…，ｂ（Ｍbit−１）にスクランブルが適用されると、スクランブルされたビットブロックｄ（０），…，ｄ（Ｍbit−１）が生成される。Ｍbitは、総ビット数である。
【０２２４】
［数式１１］
ｄ（ｉ）＝（ｂ（ｉ）＋ｃ（ｉ））  ｍｏｄ  ２
【０２２５】
ｃ（ｉ）は、端末固有のスクランブルシーケンスであり、数式５を参照することができる。
【０２２６】
ＭＰＤＣＣＨの場合、ｊ番目のサブフレームブロックにおいて、スクランブルシーケンスの初期値ｃ（ｉ）は、以下のように定義することができる。
【０２２７】
［数式１２］
【数１２】
2021511745.tif 000024
【０２２８】
ここで、ｉ0は、ＭＰＤＣＣＨ送信が意図された１番目のＤＬサブフレームのＡＳＮ（Absolute Subframe Number）を示す。ＡＳＮは、１０ｎf＋ｉと定義され、ｎｆは、ＳＦＮ（System Frame Number）を示し、ｉは、０〜９の値を有する。ＮMPDCCHabsは、ＭＰＤＣＣＨ送信がスパンする連続するサブフレームの数を示し、ＭＰＤＣＣＨ送信が延期される非ＢＬ／ＣＥサブフレームも含む。
【０２２９】
ＮＢ−ＩｏＴ／ＭＴＣでは、互いに異なる目的の物理チャネル（または信号）が該当物理チャネル（または信号）の開始サブフレームにより区分される。一例として、ページングＮＰＤＣＣＨを送信できるサーチスペースの場合、端末ＩＤによって開始サブフレーム位置が決定される。
【０２３０】
上記方法に基づいてページングＮＰＤＣＣＨをモニタリングするＮＢ−ＩｏＴ端末の動作を例示すると、端末は、自体の端末ＩＤによりＴｙｐｅ１−ＣＳＳ（ページングＮＰＤＣＣＨをモニタリングするためのサーチスペース）のＰＯ（開始サブフレーム／スロット）位置を計算し、該当位置から繰り返しサイズによってサーチスペース区間を決定する。このとき、互いに異なる端末のためのＰＯ間の間隔がＤであり、Ｔｙｐｅ１−ＣＳＳのサイズがＲであると定義されると、Ｄ＜Ｒである場合が発生することができる。この場合、互いに異なる端末のためのＴｙｐｅ１−ＣＳＳは、一部の区間が互いに重なる。このとき、各ＰＯに該当するＮＰＤＣＣＨを区分できる方法がない場合、端末は、他の端末のためのＮＰＤＣＣＨを自体に対するＮＰＤＣＣＨと誤認して、間違った警報（false alarm）動作を行うことができる。特に、ＴＤＤにおいてこの問題は、より重要である。一例として、ＦＤＤ  ＮＢ−ＩｏＴのような水準のＤＲＸをＴＤＤ  ＮＢ−ＩｏＴに適用する場合、１つの無線フレームに存在するＤＬサブフレームの数が制約されるので、ＮＰＤＣＣＨの繰り返しによってサーチスペースが重複する現像がより頻繁に発生する。図１７は、ＮＰＤＣＣＨ送信の開始サブフレーム位置および長さの構成によって、互いに異なる端末のサーチスペースが重なる例を示す。
【０２３１】
かかる現像を防止するために、（１）ＰＯ間の間隔を広げるためにＤＲＸを大きくすると、端末の遅延（latency）が増加する問題が発生し、（２）ＰＯ間の間隔を広げるために各ＰＯに含まれる端末グループのサイズを増大させると、不要なウェークアップ（起動）（wake up）によって端末の電力消費が増加し、または（３）繰り返しを減らすと、カバレッジレベルが減る可能性がある。したがって、サーチスペースが互いに重なる構成を可能にしながら、各端末は、ＮＰＤＣＣＨが自体に意図された送信であるか否かを区分できる方法が必要である。
【０２３２】
上記問題を解決するために、本発明では、物理チャネル（または信号）の送信に繰り返しが適用される状況において、互いに異なる端末のための物理チャネル（または信号）をスクランブルにより区分する方法を提案する。本発明では、ＮＰＤＣＣＨを基準として説明しているが、本発明は、繰り返しが適用される一般的な通信システムの物理チャネル（または信号）の送信にも一般的に適用できる。
【０２３３】
以下に提案する方法は、各々独立して使用するか、または互いに違反しない限り、組み合わせて使用することができる。
【０２３４】
［Ｍｅｔｈｏｄ  ２．１］スクランブルシーケンスを生成する初期値は、物理チャネル（または信号）の送信が開始される開始ポジションの値に基づいて決定される。
【０２３５】
この方法において、開始ポジションに関する情報は、物理チャネル（または信号）の送信が約束／予定された区間（例えば、ＮＰＤＣＣＨモニタリングのためのサーチスペース）が開始されるＳＦＮまたはＡＳＮ（Absolute Subframe Number）を含む。このとき、実際に送信が開始される位置が遅延しても、開始ポジションに関する情報は、約束／予定された区間の開始位置に基づいて決定される。一例として、サーチスペースの開始サブフレーム位置がｎ0で構成された状況において、該当位置が無効な（invalid）ＤＬサブフレームである場合、物理チャネル（または信号）の実際に送信が開始される位置は、ｎ0以後の有効な（valid）サブフレームに遅延することができるが、スクランブルシーケンスの初期値を決定するとき、開始ポジションに関する情報は、ｎ0に基づいて決定される。
【０２３６】
一例として、サブフレーム単位で繰り返し送信が適用され、スクランブルシーケンスがＬＴＥゴールドシーケンスであり、開始サブフレームのＡＳＮ値がｎf-startであることができる。このとき、ＬＴＥゴールドシーケンスの初期値ｃinitは、ｎf-start、実際に送信が開始されるｎs（無線フレーム内のスロットインデックス（例えば、０〜１９））またはｎsf（無線フレーム内のサブフレームインデックス（例えば、０〜９））、またはＮIDNcell（ｃｅｌｌ  ＩＤ）のうちのいずれか１つに基づいて決定される。
【０２３７】
○スクランブルシーケンスの初期値は、送信に使用されるＮc個のＤＬサブフレームごとに（再）初期化される（Ｎc≧１）。例えば、ｎi番目のサブフレームでスクランブルシーケンスの（再）初期化が行われた場合、ｎi番目のサブフレームからｎi＋Ｎc−１番目のサブフレームまでは同じスクランブルシーケンスが適用される。
【０２３８】
○以下の数式は、上記例によるｃinitを例示する。
【０２３９】
［数式１３］
【数１３】
2021511745.tif 000025
【０２４０】
−数式において、αに対するｍｏｄｕｌａｒ演算は、発生可能なｃinit値の数を調節するか、あるいはｃinitが互いに異なる条件で重複使用される現像を防止するために定義される。α値は、物理チャネル（または信号）の最大繰り返し値を考慮して決定されるか（例えば、２10または２11  ｆｏｒ  ＮＢ−ＩｏＴ）、または無効なサブフレームやＵＬサブフレームのようにＤＬ有効サブフレームとして使用できないサブフレームの影響を考慮して、任意の大きい値に定めることができる。数式において、αに対するｍｏｄｕｌａｒ演算が存在しない場合にも、本発明の思想を同様に適用できる。
【０２４１】
−数式において、βは、ｃinitが重複して使用されることを防止するために定義される。β値は、ｎsおよびＮIDNcellにより決定される値が重複する現像を防止するために、２13以上の値に決定される。
【０２４２】
他の例として、サブフレーム単位で繰り返し送信が適用され、スクランブルシーケンスがＬＴＥゴールドシーケンスであり、開始サブフレームのＡＳＮ値がｎf-startであることができる。この場合、ＬＴＥゴールドシーケンスの初期値ｃinitは、ｎf-start、Ｎacc（スクランブルシーケンスが同一に維持される連続するＡＳＮの個数）、およびＮIDNcell（セルＩＤ）のうちのいずれか１つに基づいて決定される。
【０２４３】
○このとき、スクランブルシーケンスは、Ｎacc個のＡＳＮごとに（再）初期化される（Ｎacc≧１）。ｎi番目のＡＳＮでスクランブルシーケンスの（再）初期化が行われた場合、ｎi番目のＡＳＮからｎi＋Ｎacc−１番目のＡＳＮまでは、同じスクランブルシーケンスが適用されることができる。
【０２４４】
○以下の数式は、上記例によるｃinitを例示する。
【０２４５】
［数式１４］
Ｃinit＝（ｎf-start  ｍｏｄ  α）＊β＋［（ｊ0＋ｊ1）Ｎacc  ｍｏｄ  １０］＊２9＋ＮIDNcell
【０２４６】
−数式において、αに対するｍｏｄｕｌａｒ演算は、発生可能なｃinit値の数を調節するか、あるいはｃinitが互いに異なる条件で重複使用される現像を防止するために定義される。α値は、物理チャネル（または信号）の最大繰り返し値を考慮して決定されるか（例えば、２10または２11  ｆｏｒ  ＮＢ−ＩｏＴ）、または無効なサブフレームやＵＬサブフレームのようにＤＬ有効サブフレームとして使用できないサブフレームの影響を考慮して、任意の大きい値に定めることができる。式において、αに対するｍｏｄｕｌａｒ演算が存在しない場合にも、本発明の思想は、同様に適用されることができる。
【０２４７】
−数式において、βは、ｃinitが重複して使用されることを防止するために定義される。β値は、ｎsおよびＮIDNcellにより決定される値が重複する現像を防止するために、２13以上の値に決定される。
【０２４８】
−数式において、ｊ０は、送信が開始されるサブフレームブロックのインデックスを意味し、ｊは、ｊ０番目のサブフレームブロックでサブフレームの順序を意味する。サブフレームブロックは、Ｎａｃｃ個の連続するサブフレームで構成される。ＭＰＤＣＣＨの場合、ｊ０およびｊは、以下のように定義される。他のチャネルの場合にも同様に定義できる。
【０２４９】
［数式１５］
【数１５】
2021511745.tif 000026
【０２５０】
ここで、ｉ0は、送信が開始される１番目のサブフレームのＡＳＮを示す。ＮMPDCCHabsは、ＭＰＤＣＣＨ送信がスパン（span）する連続するサブフレームの数を示し、ＭＰＤＣＣＨ送信が延期される非ＢＬ／ＣＥサブフレームも含む。
【０２５１】
［Ｍｅｔｈｏｄ  ２．２］スクランブルシーケンスを生成する初期値は、物理チャネル（または信号）の送信が開始される開始ポジションからの相対的な位置の値に基づいて決定される。
【０２５２】
この方法において、開始ポジションからの相対的な位置情報は、物理チャネル（または信号）の送信が約束／予定された区間（例えば、ＮＰＤＣＣＨモニタリングのためのサーチスペース）が開始されるサブフレームの後、物理チャネル（または信号）の送信に使用されたＤＬ有効サブフレームの数、物理チャネル（または信号）の送信が開始されるサブフレーム後の絶対サブフレームの総数（Ｎabs）に基づいて決定される。このとき、実際に送信が開始される位置が遅延しても、開始ポジションの情報は、約束／予定された区間の開始位置に定められることができる。一例として、サーチスペースの開始サブフレーム位置がｎ0で構成された状況で、該当位置が無効なＤＬサブフレームであることができる。この場合、物理チャネル（または信号）の実際に送信が開始される位置は、ｎ0以後の有効なサブフレーム位置に遅延することもできるが、スクランブルシーケンスの初期値を決定するときに開始ポジションをｎ0と仮定することができる。
【０２５３】
一例として、サブフレーム単位で繰り返し送信が適用され、スクランブルシーケンスは、ＬＴＥゴールドシーケンスである。この場合、ＬＴＥゴールドシーケンスの初期値ｃinitは、ＮabsおよびＮIDNcell（ｃｅｌｌ  ＩＤ）のうちのいずれか１つに基づいて決定される。Ｎabsは、無効な（invalid）ＤＬサブフレームを含めて物理チャネル（または信号）の送信がスパンするＤＬサブフレームの総数を示す。
【０２５４】
○スクランブルシーケンスの初期値は、送信に使用されるＮc個のＤＬサブフレームごとに（再）初期化される（Ｎc≧１）。例えば、ｎi番目のサブフレームでスクランブルシーケンスの（再）初期化が行われた場合、ｎi番目のサブフレームからｎi＋Ｎc−１番目のサブフレームまでは同じスクランブルシーケンスが適用される。
【０２５５】
○以下の式は、上記例によるｃinitを例示する。
【０２５６】
［数式１６］
Ｃinit＝Ｎabs＊β＋ＮIDNcell
【０２５７】
−数式において、βは、ｃinitが重複して使用されることを防止するために定義される。β値は、ＮIDNcellにより決定される値が重複する現像を防止するために、２9以上の値に決定される。
【０２５８】
他の例では、サブフレーム単位の繰り返しが適用され、スクランブルシーケンスは、ＬＴＥゴールドシーケンスである。この場合、ＬＴＥゴールドシーケンスの初期値ｃinitは、Ｎabs、ＮaccおよびＮIDNcell（ｃｅｌｌ  ＩＤ）のうちのいずれか１つに基づいて決定される。Ｎabsは、無効なＤＬサブフレームを含めて物理チャネル（または信号）の送信がスパンするＤＬサブフレームの総数を示す。Ｎaccは、同じスクランブルシーケンスが適用される連続するサブフレームの個数を示す。
【０２５９】
○スクランブルシーケンスは、Ｎacc個の絶対サブフレームごとに（再）初期化されることができる。例えば、ｎi番目の絶対サブフレームでスクランブルシーケンスの（再）初期化が行われた場合、ｎi番目の絶対サブフレームからｎi＋Ｎacc−１番目の絶対サブフレームまでは同じスクランブルシーケンスが適用されることができる。
【０２６０】
○以下の式は、上記例によるｃinitを例示する。
【０２６１】
［数式１７］
【数１７】
2021511745.tif 000027
【０２６２】
−数式において、βは、ｃinitが重複して使用されることを防止するために定義される。β値は、ＮIDNcellにより決定される値が重複する現像を防止するために、２9以上の値に決定される。
【０２６３】
他の例では、サブフレーム単位の繰り返しが適用され、スクランブルシーケンスは、ＬＴＥゴールドシーケンスである。この場合、ＬＴＥゴールドシーケンスの初期値ｃinitは、Ｎabs、Ｎacc、ｎs、ｎfおよびＮIDNcell（ｃｅｌｌ  ＩＤ）のうちのいずれか１つに基づいて決定される。
【０２６４】
○スクランブルシーケンスが（再）初期化される位置は、無線フレーム内で常に固定される。
【０２６５】
○以下の式は、上記例によるｃinitを例示する。
【０２６６】
［数式１８］
【数１８】
2021511745.tif 000028
【０２６７】
−数式において、αは、スクランブルシーケンスが（再）初期化される位置を指定するために定義される。Ｎacc＝１０である場合、ＴＤＤのように連続するＤＬサブフレーム区間が制限的に存在する状況でサブフレーム単位のコヒーレント結合を容易にするために、α値は、２に定められる。
【０２６８】
−数式において、βは、ｃinitが重複して使用されることを防止するために定義される。β値は、ＮIDNcellにより決定される値が重複する現像を防止するために、２9以上の値に決定される。
【０２６９】
図１８は、本発明に適用可能な基地局および端末を例示する。
【０２７０】
図１８を参照すると、無線通信システムは、基地局（ＢＳ）１１０および端末（ＵＥ）１２０を含む。無線通信システムがリレーを含む場合、基地局または端末は、リレーに代替されてもよい。
【０２７１】
基地局１１０は、プロセッサ１１２、メモリ１１４および無線周波数（Radio Frequency、ＲＦ）ユニット１１６を含む。プロセッサ１１２は、本発明で提案した手順および／または方法を具現するように構成される。メモリ１１４は、プロセッサ１１２に接続され、プロセッサ１１２の動作に関連する様々な情報を記憶（格納）する。ＲＦユニット１１６は、プロセッサ１１２に接続され、無線信号を送信および／または受信する。端末１２０は、プロセッサ１２２、メモリ１２４および無線周波数ユニット１２６を含む。プロセッサ１２２は、本発明で提案した手順および／または方法を具現するように構成される。メモリ１２４は、プロセッサ１２２に接続され、プロセッサ１２２の動作に関連する様々な情報を記憶する。ＲＦユニット１２６は、プロセッサ１２２に接続され、無線信号を送信および／または受信する。
【０２７２】
以上で説明された各実施例は、本発明の構成要素と特徴とが所定の形態で結合されたものである。各構成要素または特徴は、別の明示的な言及がない限り、選択的なものとして考慮しなければならない。各構成要素または特徴は、他の構成要素や特徴と結合されない形態で実施することができる。また、一部の構成要素および／または特徴を結合して本発明の実施例を構成することも可能である。本発明の実施例で説明される動作の順序は、変更可能である。ある実施例の一部の構成や特徴は、他の実施例に含まれることができ、または、他の実施例に対応する構成もしくは特徴に代替されることもできる。特許請求の範囲において明示的な引用関係のない請求項を結合して実施例を構成したり、出願後の補正により新しい請求項として含めることができるということは自明である。
【０２７３】
本文書では、本発明の各実施例について主に端末と基地局との間の信号送受信関係を中心として説明する。かかる送受信関係は、端末とリレーと、または基地局とリレーとの間の信号送受信にも同一／同様に拡張できる。本文書で基地局によって行われると説明された特定動作は、場合によっては、その上位ノード（upper node）によって行われてもよい。すなわち、基地局を含む複数のネットワークノード（network nodes）からなるネットワークにおいて端末との通信のために行う多様な動作は、基地局または基地局以外の他のネットワークノードによって行われうることは自明である。基地局は、固定局（fixed station）、Ｎｏｄｅ  Ｂ、ｅＮｏｄｅ  Ｂ（ｅＮＢ）、アクセスポイント（access point）などの用語に代替可能である。また、端末は、ＵＥ（User Equipment）、ＭＳ（Mobile Station）、ＭＳＳ（Mobile Subscriber Station）などの用語に代替可能である。
【０２７４】
本発明に係る実施例は、様々な手段、例えば、ハードウェア、ファームウエア（firmware）、ソフトウェアまたはそれらの結合などによって具現されることができる。ハードウェアによる具現の場合、本発明の一実施例は、１つまたは複数のＡＳＩＣｓ（Application Specific Integrated Circuits）、ＤＳＰｓ（Digital Signal Processors）、ＤＳＰＤｓ（Digital Signal Processing Devices）、ＰＬＤｓ（Programmable Logic Devices）、ＦＰＧＡｓ（Field Programmable Gate Arrays）、プロセッサ、コントローラ、マイクロコントローラ、マイクロプロセッサなどによって具現されることができる。
【０２７５】
ファームウエアやソフトウェアによる具現の場合、本発明の一実施例は、以上で説明された機能または動作を行うモジュール、手順、関数などの形態で具現されることができる。ソフトウェアコードは、メモリユニットに記憶されて、プロセッサによって駆動可能である。上記メモリユニットは、上記プロセッサの内部または外部に位置し、既に公知となった多様な手段により上記プロセッサとデータを交換することができる。
【０２７６】
本発明は、本発明の特徴を逸脱しない範囲で他の特定の形態で具体化できることは、当業者にとって自明である。したがって、上記の詳細な説明は、全ての面において制限的に解釈されてはならず、例示的なものとして考慮しなければならない。本発明の範囲は、添付の請求項の合理的な解釈によって決定されなければならず、本発明の等価的範囲内における全ての変更は、本発明の範囲に含まれる。
【産業上の利用可能性】
【０２７７】
本発明は、無線移動通信システムの端末、基地局またはその他の機器で使用されることができる。
【図１】
2021511745.tif 000029
【図２】
2021511745.tif 000030
【図３】
2021511745.tif 000031
【図４】
2021511745.tif 000032
【図５】
2021511745.tif 000033
【図６】
2021511745.tif 000034
【図７】
2021511745.tif 000035
【図８】
2021511745.tif 000036
【図９】
2021511745.tif 000037
【図１０】
2021511745.tif 000038
【図１１】
2021511745.tif 000039
【図１２】
2021511745.tif 000040
【図１３】
2021511745.tif 000041
【図１４】
2021511745.tif 000042
【図１５】
2021511745.tif 000043
【図１６】
2021511745.tif 000044
【図１７】
2021511745.tif 000045
【図１８】
2021511745.tif 000046
【手続補正書】
【提出日】令和2年8月7日(2020.8.7)
【手続補正１】
【補正対象書類名】特許請求の範囲
【補正対象項目名】全文
【補正方法】変更
【補正の内容】
【特許請求の範囲】
【請求項１】
無線通信システムにおいて通信装置が信号を受信する方法であって、
搬送波上のサブフレームでウェークアップ信号（Wake-Up Signal；ＷＵＳ）シーケンスを受信する段階であって、前記サブフレームは、複数の連続する直交周波数分割多重（Orthogonal Frequency Division Multiplexing；ＯＦＤＭ）シンボルと複数の連続する副搬送波とを有する段階と、
前記ＷＵＳに対応する物理チャネルの検出を試みる段階と、を有し、
前記搬送波がインバンドモードであることに基づいて、
前記サブフレームのＮ番目（Ｎ＞１）のＯＦＤＭシンボルから最後のＯＦＤＭシンボルまでには、前記ＷＵＳシーケンスが存在し、
前記サブフレームの１番目のＯＦＤＭシンボルから（Ｎ−１）番目のＯＦＤＭシンボルまでには、ＷＵＳシーケンスが存在せず、
前記搬送波がガードバンドモードまたはスタンドアローンモードであること基づいて、
前記サブフレームの前記Ｎ番目（Ｎ＞１）のＯＦＤＭシンボルから前記最後のＯＦＤＭシンボルまでには、前記ＷＵＳシーケンスが存在し、
前記サブフレームの前記１番目のＯＦＤＭシンボルから前記（Ｎ−１）番目のＯＦＤＭシンボルまでには、前記Ｎ番目（Ｎ＞１）のＯＦＤＭシンボルから前記最後のＯＦＤＭシンボルまでのうちの（Ｎ−１）個の連続するＯＦＤＭシンボル上の一部のＷＵＳシーケンスが追加的に存在する、方法。
【請求項２】
前記サブフレームは、１４個の連続するＯＦＤＭシンボルと１２個の連続する副搬送波とを有し、Ｎは４である、請求項１に記載の方法。
【請求項３】
前記ＷＵＳシーケンスは、長さ１３１のザァドフチュウ（Zardoff-Chu；ＺＣ）シーケンスを有する、請求項２に記載の方法。
【請求項４】
前記搬送波が前記インバンドモードであることに基づいて、前記搬送波の周波数帯域は、第３世代パートナシッププロジェクト（3rd Generation Partnership Project；３ＧＰＰ）ロングタームエボリューション（Long Term Evolution；ＬＴＥ）システム帯域内に位置し、
前記搬送波が前記ガードバンドモードまたは前記スタンドアローンモードであることに基づいて、前記搬送波の周波数帯域は、前記３ＧＰＰ  ＬＴＥシステム帯域外に位置する、請求項１に記載の方法。
【請求項５】
Ｎは４であり、前記（Ｎ−１）個の連続するＯＦＤＭシンボルは、４番目のＯＦＤＭシンボル、５番目のＯＦＤＭシンボルおよび６番目のＯＦＤＭシンボルを有する、請求項１に記載の方法。
【請求項６】
前記ＷＵＳに対応する前記物理チャネルは、ページング無線ネットワーク一時識別子（Paging Radio Network Temporary Identifier；Ｐ−ＲＮＴＩ）を有する物理下りリンク制御チャネル（Physical Downlink Control CHannel；ＰＤＣＣＨ）を有する、請求項１に記載の方法。
【請求項７】
無線通信システムにおいて使用される通信装置であって、
メモリと、
プロセッサと、を有し、前記プロセッサは、
搬送波上のサブフレームでウェークアップ信号（Wake-Up Signal；ＷＵＳ）シーケンスを受信し、前記サブフレームは、複数の連続する直交周波数分割多重（Orthogonal Frequency Division Multiplexing；ＯＦＤＭ）シンボルと複数の連続する副搬送波とを有し、
前記ＷＵＳに対応する物理チャネルの検出を試みる、ように構成され、
前記搬送波がインバンドモードであることに基づいて、
前記サブフレームのＮ番目（Ｎ＞１）のＯＦＤＭシンボルから最後のＯＦＤＭシンボルまでには、前記ＷＵＳシーケンスが存在し、
前記サブフレームの１番目のＯＦＤＭシンボルから（Ｎ−１）番目のＯＦＤＭシンボルまでには、ＷＵＳシーケンスが存在せず、
前記搬送波がガードバンドモードまたはスタンドアローンモードであること基づいて、
前記サブフレームの前記Ｎ番目（Ｎ＞１）のＯＦＤＭシンボルから前記最後のＯＦＤＭシンボルまでには、前記ＷＵＳシーケンスが存在し、
前記サブフレームの前記１番目のＯＦＤＭシンボルから前記（Ｎ−１）番目のＯＦＤＭシンボルまでには、前記Ｎ番目（Ｎ＞１）のＯＦＤＭシンボルから前記最後のＯＦＤＭシンボルまでのうちの（Ｎ−１）個の連続するＯＦＤＭシンボル上の一部のＷＵＳシーケンスが追加的に存在する、通信装置。
【請求項８】
前記サブフレームは、１４個の連続するＯＦＤＭシンボルと１２個の連続する副搬送波とを有し、Ｎは４である、請求項７に記載の通信装置。
【請求項９】
前記ＷＵＳシーケンスは、長さ１３１のザァドフチュウ（Zardoff-Chu；ＺＣ）シーケンスを有する、請求項８に記載の通信装置。
【請求項１０】
前記搬送波が前記インバンドモードであることに基づいて、前記搬送波の周波数帯域は、第３世代パートナシッププロジェクト（3rd Generation Partnership Project；３ＧＰＰ）ロングタームエボリューション（Long Term Evolution；ＬＴＥ）システム帯域内に位置し、
前記搬送波が前記ガードバンドモードまたは前記スタンドアローンモードであることに基づいて、前記搬送波の周波数帯域は、前記３ＧＰＰ  ＬＴＥシステム帯域外に位置する、請求項７に記載の通信装置。
【請求項１１】
Ｎは４であり、前記（Ｎ−１）個の連続するＯＦＤＭシンボルは、４番目のＯＦＤＭシンボル、５番目のＯＦＤＭシンボルおよび６番目のＯＦＤＭシンボルを有する、請求項７に記載の通信装置。
【請求項１２】
前記ＷＵＳに対応する前記物理チャネルは、ページング無線ネットワーク一時識別子（Paging Radio Network Temporary Identifier；Ｐ−ＲＮＴＩ）を有する物理下りリンク制御チャネル（Physical Downlink Control CHannel；ＰＤＣＣＨ）を有する、請求項７に記載の通信装置。
【請求項１３】
さらに、無線周波数（Radio Frequency；ＲＦ）モジュールを有する、請求項７に記載の通信装置。
【国際調査報告】
2021511745.tif 000047
2021511745.tif 000048
2021511745.tif 000049
2021511745.tif 000050